(57)【要約】【課題】  サージ電圧の最大値を小さくできる電力変換装置を提供する。【解決手段】  実施形態によれば、電力変換装置は、冷却器と、複数のパワーモジュールと、平滑コンデンサと、バスバーと、を備える。前記冷却器は、ベース面から受熱面まで貫通する貫通孔が形成される。前記複数のパワーモジュールは、各々がパワーモジュール端子部を備え、前記受熱面上に並んで配置されてパワーモジュール列を構成する。前記平滑コンデンサは、前記ベース面側に配されるコンデンサ部と、前記貫通孔を通って前記受熱面側に至るコンデンサ端子部と、を有する。前記バスバーは、前記パワーモジュール列に沿って延びる基部と、複数の前記パワーモジュール端子部にそれぞれ接続される複数の第１のバスバー端子部と、前記コンデンサ端子部に接続される第２のバスバー端子部と、を有する。前記第２のバスバー端子部は、前記パワーモジュール列の列方向において、前記複数の第１のバスバー端子部のうちの任意の２つの間に配される。【選択図】図４
2017046439.tif 000002
【特許請求の範囲】
【請求項１】
受熱面と、前記受熱面の反対側に配されたベース面と、を有し、前記ベース面から前記受熱面まで貫通する貫通孔が形成された冷却器と、
各々がパワーモジュール端子部を備え、前記受熱面上に並んで配置されてパワーモジュール列を構成する複数のパワーモジュールと、
前記冷却器の前記ベース面側に配されるコンデンサ部と、前記コンデンサ部に設けられ、前記貫通孔を通って前記受熱面側に至るコンデンサ端子部と、を有する平滑コンデンサと、
前記パワーモジュール列に沿って延びる基部と、前記基部に設けられ複数の前記パワーモジュール端子部にそれぞれ接続される複数の第１のバスバー端子部と、前記基部に設けられ前記コンデンサ端子部に接続される第２のバスバー端子部と、を有するバスバーと、を備え、
前記第２のバスバー端子部は、前記パワーモジュール列の列方向において、前記複数の第１のバスバー端子部のうちの任意の２つの間に配されることを特徴とする電力変換装置。
【請求項２】
前記各パワーモジュール列は、前記パワーモジュール端子部としてのコレクタ端子部及びエミッタ端子部をそれぞれ有する上アーム用のパワーモジュールと、下アーム用のパワーモジュールと、を備え、
前記平滑コンデンサは、前記コンデンサ端子部として、正極端子部と負極端子部とを備え、
前記バスバーは、前記上アーム用のパワーモジュールの前記コレクタ端子部と前記正極端子部とに接続されるコレクタバスバーと、前記下アーム用のパワーモジュールの前記エミッタ端子部と前記負極端子部とに接続されるエミッタバスバーと、を備え、
前記上アーム用のパワーモジュールの前記エミッタ端子部と前記下アーム用のパワーモジュールの前記コレクタ端子部とを接続する上下アーム構成バスバーが備えられ、
前記列方向において、前記複数のパワーモジュールを挟んで、前記コレクタバスバーの前記第２のバスバー端子部及び前記エミッタバスバーの前記第２のバスバー端子部とは反対側に、前記上下アーム構成バスバーが接続される上下アーム構成バスバー接続端子が備えられる
ことを特徴とする請求項１に記載の電力変換装置。
【請求項３】
複数のパワーモジュール列を備え、
前記バスバーは、一対の前記パワーモジュール列の間に配置され、
前記基部の前記受熱面側の縁から一方の前記パワーモジュール列側に屈曲して延び、その先端に前記一方のパワーモジュール列に接続される前記第１のバスバー端子部が設けられる延出部が備えられ、
前記基部の前記縁における前記延出部の基端部分に隣接する位置には、切れ込みが形成され、
前記基部の他方の縁には、他方の前記パワーモジュール列に接続される前記第１のバスバー端子部が設けられる
ことを特徴とする請求項１に記載の電力変換装置。
【請求項４】
前記列方向において、前記第２のバスバー端子部の一方側に配置される前記第１のバスバー端子部に、インバータを構成する前記パワーモジュールが接続され、前記第２のバスバー端子部の他方側に配置される前記第１のバスバー端子部に、コンバータを構成するパワーモジュールが接続される
ことを特徴とする請求項１に記載の電力変換装置。
【請求項５】
複数のパワーモジュール列を備え、
前記パワーモジュール列は、前記各パワーモジュール端子部としてのコレクタ端子部及びエミッタ端子部をそれぞれ有する複数の上アーム用のパワーモジュールと複数の下アーム用のパワーモジュールとを備え、
前記下アーム用のパワーモジュールは、前記列方向に外側に分散して配置され、前記上アーム用のパワーモジュールは、前記列方向に内側に並んで配置され、
隣り合う一対のパワーモジュール列の各々では、前記上アーム用のパワーモジュールは、前記コレクタ端子部を相手側の前記パワーモジュール列に向けた姿勢で配置され、前記下アーム用のパワーモジュールは、前記エミッタ端子部を相手側のパワーモジュール列に向けた姿勢で配置され、
前記バスバーは、前記上アーム用のパワーモジュールの前記コレクタ端子部に接続されるコレクタバスバーと、前記下アーム用のパワーモジュールの前記エミッタ端子部に接続されるエミッタバスバーと、を備え、
前記コレクタバスバーの前記基部は、前記一対のパワーモジュール列間に配置されていずれか一方のパワーモジュール列の前記上アーム用のパワーモジュールの前記コレクタ端子部に接続される第１のバスバー端子部を備え、かつ、前記受熱面側の縁から他方の前記パワーモジュール列側に屈曲して延び、前記他方の前記パワーモジュール列の前記上アーム用のパワーモジュールの前記コレクタ端子部に接続される前記第１のバスバー端子部が設けられる第１の延出部を備え、
前記エミッタバスバーの前記基部は、前記コレクタバスバーの前記基部と前記第１の延出部との間に配置されるとともにいずれか一方のパワーモジュール列の前記下アーム用のパワーモジュールの前記エミッタ端子部に接続される第１のバスバー端子部を備え、かつ、前記受熱面側の縁から他方の前記パワーモジュール列側に屈曲して延び、前記他方の前記パワーモジュール列の前記下アーム用のパワーモジュールの前記エミッタ端子部に接続される第１のバスバー端子部が設けられる第２の延出部を備える
ことを特徴とする請求項１に記載の電力変換装置。
【発明の詳細な説明】
【技術分野】
【０００１】
この発明の実施形態は、直流電力から交流電力への変換と交流電力から直流電力への変換のうちの少なくとも一方を行う電力変換装置に関する。
【背景技術】
【０００２】
ハイブリッド車や電気自動車は、電池から供給される直流電力を電動モータ用に交流電力に変換する電力変換装置を有している。電力変換装置は、平滑コンデンサと、電池から供給される直流電力を交流電力に変換する為の複数のパワーモジュールと、を含む。
【０００３】
また、ハイブリッド車や電気自動車は、制動時に発電するジェネレータを有する。ジェネレータを有する場合、電力変換装置は、さらに、ジェネレータから供給される交流電力を直流電力に変換する為の複数のパワーモジュールを含む。
【０００４】
このように、電力変換装置が複数のパワーモジュールを含む場合は、各パワーモジュールを、バスバーを用いて、平滑コンデンサ、電動モータ、ジェネレータ等に電気的に接続する。
【０００５】
平滑コンデンサと複数のパワーモジュールとを電気的に接続する為のバスバーとしては、平滑コンデンサの正極端子に電気的に接続されるコレクタバスバーと、平滑コンデンサの負極端子に電気的に接続されるエミッタバスバーと、が用いられる。
【０００６】
コレクタバスバーは、複数のパワーモジュールのうち上アームを構成するパワーモジュールのコレクタ端子に電気的に接続されている。エミッタバスバーは、複数のパワーモジュールのうち、下アームを構成するパワーモジュールのエミッタ端子に電気的に接続されている。
【先行技術文献】
【特許文献】
【０００７】
【特許文献１】特開２０１３−１９２３６７号公報
【発明の概要】
【発明が解決しようとする課題】
【０００８】
一方、パワーモジュールには、サージ電圧が印加される。サージ電圧の値は、平滑コンデンサからパワーモジュールまでの電流経路のインダクタンスと、流れる電流の変化率との積算値となる。インダクタンスは、コレクタバスバーの平滑コンデンサに電気的に接続される端子からパワーモジュールに接続される端子までの電流経路の長さに比例して大きくなる。
【０００９】
この為、パワーモジュールの数が多くなると、パワーモジュールによっては、コレクタバスバーの平滑コンデンサに電気的に接続される端子から当該パワーモジュールに接続される端子までの電流経路が長くなる為、サージ電圧が大きくなる。このように、パワーモジュールごとに印加されるサージ電圧が異なることになり、サージ電圧に偏りが生じる。
【００１０】
さらに、バスバーを用いることによって、複数のパワーモジュールが共通の電流経路を用いることになる。この為、いくつかのパワーモジュールが同時にスイッチングされる場合では、流れる電流の変化率が大きくなるので、より大きなサージ電圧である所謂重畳サージ電圧が印加される。
【００１１】
本発明が解決しようとする課題は、サージ電圧の最大値を小さくできる電力変換装置を提供することである。
【課題を解決するための手段】
【００１２】
実施形態によれば、電力変換装置は、冷却器と、複数のパワーモジュールと、平滑コンデンサと、バスバーと、を備える。前記冷却器は、受熱面と、前記受熱面の反対側に配されたベース面と、を有し、前記ベース面から前記受熱面まで貫通する貫通孔が形成される。前記複数のパワーモジュールは、各々がパワーモジュール端子部を備え、前記受熱面上に並んで配置されてパワーモジュール列を構成する。前記平滑コンデンサは、前記冷却器の前記ベース面側に配されるコンデンサ部と、前記コンデンサ部に設けられ、前記貫通孔を通って前記受熱面側に至るコンデンサ端子部と、を有する。前記バスバーは、前記パワーモジュール列に沿って延びる基部と、前記基部に設けられ複数の前記パワーモジュール端子部にそれぞれ接続される複数の第１のバスバー端子部と、前記基部に設けられ前記コンデンサ端子部に接続される第２のバスバー端子部と、を有する。前記第２のバスバー端子部は、前記パワーモジュール列の列方向において、前記複数の第１のバスバー端子部のうちの任意の２つの間に配される。
【図面の簡単な説明】
【００１３】
【図１】一実施形態に係る電力変換装置を示す等価回路図。
【図２】同電力変換装置を分解して示す斜視図。
【図３】同電力変換装置の冷却器を分解して示す斜視図。
【図４】同電力変換装置を概略的に示す平面図。
【図５】図４に示すＦ５−Ｆ５線断面に沿って示す同電力変換装置の断面図。
【図６】図６は、図４に示す同フレーム内からパワーモジュールを取り除いた状態を示す平面図。
【図７】同電力変換装置の平滑コンデンサを示す斜視図。
【図８】同電力変換装置の配線構造及びパワーモジュールを示す平面図。
【図９】エミッタバスバーが省略された同配線装置と同パワーモジュールとを示す平面図。
【図１０】コレクタバスバーが省略された同配線構造と同パワーモジュールとを示す平面図。
【図１１】同配線構造を示す斜視図。
【図１２】同コレクタバスバーの第１のコレクタバスバーを示す斜視図。
【図１３】同電力変換装置のＷ相上下アームを構成するパワーモジュールと、モータＷ相バスバーと、第２のコレクタバスバーの一部と、第２のエミッタバスバーの一部とを示す概略図。
【発明を実施するための形態】
【００１４】
一実施形態に係る電力変換装置１０を、図１〜１３を用いて説明する。図１は、電力変換装置１０を示す等価回路図である。図１に示すように、電力変換装置１０は、直流電力供給源の一例である電池５と、回転電気機械の一例である電動モータ６と、回転電気機械の一例であるジェネレータ７と、に接続されている。
【００１５】
電池５と、電動モータ６と、ジェネレータ７と、電力変換装置１０とは、例えば電気自動車に搭載されている。電動モータ６は、電気自動車の車輪を回転するための駆動源として機能する。ジェネレータ７は、例えば、電気自動車の制動時に発電する機能を有する。
【００１６】
電動モータ６は、三相交流モータであり、Ｕ相端子６ａと、Ｖ相端子６ｂと、Ｗ相端子６ｃと、を有している。ジェネレータ７は、Ｕ相端子７ａと、Ｖ相端子７ｂと、Ｗ相端子７ｃと、を有している。
【００１７】
電力変換装置１０は、冷却器１００（図２に示す）と、電力を平滑する平滑コンデンサ３１と、冷却器１００の受熱面１０１上に設けられるフレーム１１０（図４に示す）と、ＤＣ−ＤＣコンバータ２０と、インバータ３０と、コンバータ４０と、配線構造１２０と、第１の制御装置５２０と、第２の制御装置５３０と、を有している。
【００１８】
ＤＣ−ＤＣコンバータ２０は、複数のスイッチング装置から構成され、電池５から供給される直流電力の電圧を昇圧する。インバータ３０は、複数のスイッチング装置から構成され、ＤＣ−ＤＣコンバータ２０で昇圧された直流電力を三相交流電力に変換して電動モータ６に供給する。コンバータ４０は、複数のスイッチング装置から構成され、ジェネレータ７で発電された三相交流電力を直流電力に変換して電池５に供給する。第１の制御装置５２０は、インバータ３０とコンバータ４０とを制御する。第２の制御装置５３０は、ＤＣ−ＤＣコンバータ２０を制御する。
【００１９】
図２は、電力変換装置１０を分解して示す斜視図である。図２は、制御装置５２０，５３０が搭載された制御回路基板が分離された状態の電力変換装置１０を示している。
【００２０】
図２に示すように、冷却器１００上に、ＤＣ−ＤＣコンバータ２０と、インバータ３０と、コンバータ４０とが搭載される。冷却器１００の下方に、平滑コンデンサ３１が設置される。
【００２１】
図３は、冷却器１００を分解して示す斜視図である。図３に示すように、冷却器１００は、冷却部１００ａと、冷却部１００ａに設けられた流入口用パイプ１０７ａ及び流出口用パイプ１０８ａと、を有している。
【００２２】
冷却部１００ａは、凹部１０４が形成された冷却ブロック１０２と、凹部１０４を液密に閉じることが可能に形成された蓋部材１０６と、を有している。
【００２３】
冷却ブロック１０２は、金属で直方体形状に形成されている。金属の一例は、アルミニウムである。凹部１０４は、冷却ブロック１０２の上面に開口している。冷却ブロック１０２において受熱面１０１に対して反対側は、ベース面１０１ａとなっている。
【００２４】
ここで、電力変換装置１０に、第１の直線方向Ｖ１と、第２の直線方向Ｖ２と、上下方向Ｖ３とを定義する。方向Ｖ１，Ｖ２，Ｖ３は、互いに直交する。第１の直線方向Ｖ１は、冷却器１００の短手方向に平行な方向である。第２の直線方向Ｖ２は、冷却器１００の長手方向に平行な方向である。凹部１０４が凹む方向を下方とし、この反対方向を上方向とする。
【００２５】
冷却器１００の説明に戻る。凹部１０４内には、凹部１０４内を往路１０４ａと復路１０４ｂとに仕切る仕切壁部１０９が形成されている。往路１０４ａは、図３中奥側に配置されている。復路１０４ｂは、図３中手前側に配置されている。
【００２６】
仕切壁部１０９は、冷却ブロック１０２の第１の直線方向Ｖ１に沿う一方の側壁部から、第１の直線方向Ｖ１に沿う他方の側壁部の近傍の位置まで、第２の直線方向Ｖ２に延びている。往路１０４ａは、第１の直線方向Ｖ１に沿う他方の側壁部と仕切壁部１０９との間に規定される隙間を介して、復路１０４ｂに連結される。
【００２７】
仕切壁部１０９には、第１の貫通孔（貫通孔）１０９ａと、第２の貫通孔（貫通孔）１０９ｂと、が形成されている。第１の貫通孔１０９ａは、仕切壁部１０９の第２の直線方向Ｖ２の先端から第２の直線方向Ｖ２に中腹位置の近傍まで延びる長孔形状であり、冷却ブロック１０２を上下方向Ｖ３に貫通している。
【００２８】
第２の貫通孔１０９ｂは、仕切壁部１０９の第２の直線方向Ｖ２の他端から第２の直線方向Ｖ２に中腹位置の近傍まで延びる長孔形状であり、冷却ブロック１０２を上下方向Ｖ３に貫通している。第２の貫通孔１０９ｂは、第１の貫通孔１０９ａに対して第２の直線方向Ｖ２に並んでいる。
【００２９】
冷却ブロック１０２の第１の直線方向Ｖ１に沿う一方の側壁部には、流入口１０７と、流出口１０８と、が形成されている。流入口１０７は、往路１０４ａ内に連通している。流入口１０７には、冷却液を導くホース等の流路部材が連結可能な流入口用パイプ１０７ａが形成されている。流入口用パイプ１０７ａは、冷却ブロック１０２の側面から外側に突出している。
【００３０】
流出口１０８は、復路１０４ｂに連通している。流出口１０８には、流出口１０８から排出された冷却液を外部に導くホース等の流路部材が連結可能は流出口用パイプ１０８ａが形成されている。
【００３１】
第１の貫通孔１０９ａの開口縁部と第２の貫通孔１０９ｂの開口縁部とは、仕切壁部１０９の上面の他の部分に対して、上下方向Ｖ３に突出している。
【００３２】
冷却ブロック１０２の第２の直線方向Ｖ２に沿う縁部には、第３の貫通孔１０２ａと、第４の貫通孔１０２ｂと、第５の貫通孔１０２ｃと、第６の貫通孔１０２ｄと、第７の貫通孔１０２ｅと、第８の貫通孔１０２ｆと、第９の貫通孔１０２ｇとが形成されている。
【００３３】
貫通孔１０２ａ，１０２ｂ，１０２ｃ，１０２ｄ，１０２ｅ，１０２ｆ，１０２ｇは、凹部１０４に対してずれた位置に配置されており、冷却ブロック１０２を上下方向Ｖ３に貫通している。
【００３４】
第３の貫通孔１０２ａ内には、電池５の正極端子に電気的に接続された端子５ａ（図４に示す）が設置されている。第４の貫通孔１０２ｂ内には、モータＵ相端子６ａに電気的に接続された端子（上下アーム構成バスバー接続端子）６ｄ（図４に示す）が設置されている。第５の貫通孔１０２ｃ内には、モータＶ相端子６ｂに電気的に接続された端子（上下アーム構成バスバー接続端子）６ｅ（図４に示す）が設置されている。第６の貫通孔１０２ｄ内には、モータＷ相端子６ｃに電気的に接続された端子（上下アーム構成バスバー接続端子）６ｆ（図４に示す）が設置されている。
【００３５】
第７の貫通孔１０２ｅ内には、ジェネレータＵ相端子７ａに電気的に接続された端子（上下アーム構成バスバー接続端子）７ｄ（図４に示す）が設置されている。第８の貫通孔１０２ｆ内には、ジェネレータＶ相端子７ｂに電気的に接続された端子（上下アーム構成バスバー接続端子）７ｅが設置されている。第９の貫通孔１０２ｇ内には、ジェネレータＷ相端子７ｃに電気的に接続された端子（上下アーム構成バスバー接続端子）７ｆ（図４に示す）が設置されている。
【００３６】
蓋部材１０６には、第１の貫通孔１０９ａの開口縁部が嵌合可能な第１０の貫通孔（貫通孔）１０６ａと、第２の貫通孔１０９ｂの開口縁部が嵌合可能な第１１の貫通孔（貫通孔）１０６ｂとが形成されている。言い換えると、第１の貫通孔１０９ａと第１０の貫通孔１０６ａとは、ベース面１０１ａ側から受熱面１０１まで貫通する貫通孔を形成している。第２の貫通孔１０９ｂと第１１の貫通孔１０６ｂとは、ベース面１０１ａ側から受熱面１０１まで貫通する貫通孔を形成している。
【００３７】
蓋部材１０６の下端面は、仕切壁部１０９の上面に面接触する。蓋部材１０６が設置されることによって、凹部１０４の開口は、液密にシールされる。蓋部材１０６の上面は、受熱面１０１として機能する。受熱面１０１は、直線方向Ｖ１，Ｖ２に平行な平面に形成されている。
【００３８】
流入口１０７から往路１０４ａ内に流入した冷却液は、第２の直線方向Ｖ２に沿って往路１０４ａ内を流れた後、復路１０４ｂ内に流入する。復路１０４ｂ内に流入した冷却液は、第２の直線方向Ｖ２に流出口１０８まで復路１０４ｂ内を流れた後、流出口１０８を通って外部に排出される。
【００３９】
図４は、電力変換装置１０を概略的に示す平面図である。図４に示すように、フレーム１１０は、受熱面１０１上に設けられている。フレーム１１０は、受熱面１０１の周縁部上に配置されて固定される矩形状の外枠１１１、外枠１１１内に設けられる第１の区画梁１１２、第２の区画梁１１３、及び、第３の区画梁１１４を有している。
【００４０】
外枠１１１は、内側に収容空間を形成するように構成されており、第１の直線方向Ｖ１に延びる第１の側壁部１１１ａ及び第２の側壁部１１１ｂと、第２の直線方向Ｖ２に延びる第３の側壁部１１１ｃ及び第４の側壁部１１１ｄと、を有している。
【００４１】
第１の区画梁１１２と第２の区画梁１１３と第３の区画梁１１４とは、外枠１１１の内側に設けられており、外枠１１１内の収容空間を、第１の収容空間１１５と、第２の収容空間１１６と、第３の収容空間１１７と、第４の収容空間１１８とに区画している。
【００４２】
第１の区画梁１１２は、第１の側壁部１１１ａに対して第２の直線方向Ｖ２に離れた位置に配置されており、側壁部１１１ａ，１１１ｃ，１１１ｄとの間に第１の収容空間１１５を形成するように、一端が第３の側壁部１１１ｃに連結され、他端が第４の側壁部１１１ｄに連結されている。第１の区画梁１１２は、第１の直線方向Ｖ１に延びている。また、第１の区画梁１１２は、第１０の貫通孔１０６ａの中心を通っている。
【００４３】
第２の区画梁１１３は、第１の区画梁１１２に対して第２の直線方向Ｖ２に離れた位置に配置されており、第１の区画梁１１２と側壁部１１１ｃ，１１１ｄとの間に第２の収容空間１１６を形成するように、一端が第３の側壁部１１１ｃに連結され、他端が第４の側壁部１１１ｄに連結されている。第２の区画梁１１３は、第１の直線方向Ｖ１に延びている。
【００４４】
第３の区画梁１１４は、第２の区画梁１１３に対して第２の直線方向Ｖ２に離れた位置に配置されており、第２の区画梁１１３と側壁部１１１ｃ，１１１ｄとの間に第３の収容空間１１７を形成するように、かつ、側壁部１１１ｂ，１１１ｃ，１１１ｄとの間に第４の収容空間１１８を形成するように、一端が第３の側壁部１１１ｃに連結され、他端が第４の側壁部１１１ｄに連結されている。第３の区画梁１１４は、第１の直線方向Ｖ１に延びている。また、第３の区画梁１１４は、第１１の貫通孔１０６ｂの中心を通っている。
【００４５】
図５は、電力変換装置１０を、図４に示すＦ５−Ｆ５線断面に沿って示す断面図である。図５に示すように、フレーム１１０は、樹脂で形成されている。フレーム１１０は、その下端面の全域に接着剤Ｓが塗布されており、接着剤Ｓによって受熱面１０１に固定されている。接着剤Ｓは、接着剤層Ｓ１を形成している。なお、図５は、一例として、第２の区画梁１１３と第２の側壁部１１ｂとが接着剤Ｓによって受熱面１０１に固定されている状態を示しているが、外枠１１１の下端面全体と、第１の区画梁１１２の下端面全体と、第２の区画梁１１３の下端面全体と、第３の区画梁１１４の下端面全体も、同様に、接着剤Ｓが塗布されている。なお、接着剤Ｓは、熱伝導率が高いことが好ましい。
【００４６】
図６は、図４に示すフレーム１１０内からスイッチング装置を取り除いた状態を示す平面図である。図６に示すように、側壁部１１１ａ，１１１ｂと、区画梁１１２，１１３，１１４には、端子が設けられている。各端子は、側壁部１１１ａ，１１１ｂと、区画梁１１２，１１３，１１４とから露出するように設けられている。各端子は、配線構造１２０を構成するバスバーの一部である。
【００４７】
第１の側壁部１１１ａの第１の区画梁１１２側の側面には、第１の端子部（第１のバスバー端子部）１２１と、第２の端子部（第１のバスバー端子部）１２２と、第３の端子部（第１のバスバー端子部）１２３と、第４の端子部（第１のバスバー端子部）１２４とが設けられている。端子部１２１，１２２，１２３，１２４は、第１０の貫通孔１０６ａよりも第３の側壁部１１１ｃ側に配置されており、第３の側壁部１１１ｃに向かって記載の順番に並んでいる。端子部１２１，１２２，１２３，１２４の上部は、第１の側壁部１１１ａに対して上方向に突出している。
【００４８】
第１の区画梁１１２の第１の側壁部１１１ａ側の側面には、第５の端子部（第１のバスバー端子部）１２５と、第６の端子部（第１のバスバー端子部）１２６と、第７の端子部（第１のバスバー端子部）１２７と、第８の端子部（第１のバスバー端子部）１２８とが設けられている。端子部１２５，１２６，１２７，１２８は、第１０の貫通孔１０６ａよりも第３の側壁部１１１ｃ側に配置されており、第３の側壁部１１１ｃに向かって記載の順番に並んでいる。端子部１２９，１３０，１３１，１３２の上部は、第１の区画梁１１２に対して、上方向に突出している。
【００４９】
第１０の貫通孔１０６ａにおいて第１の収容空間１１５内に開口する部分の直上には、第３のコンデンサ接続端子部１６５が設置されている。
【００５０】
第１の区画梁１１２の第２の区画梁１１３側の側面には、第９の端子部（第１のバスバー端子部）１２９と、第１０の端子部（第１のバスバー端子部）１３０と、第１１の端子部（第１のバスバー端子部）１３１と、第１２の端子部（第１のバスバー端子部）１３２と、第１３の端子部（第１のバスバー端子部）１３３と、第１４の端子部（第１のバスバー端子部）１３４とが設けられている。
【００５１】
端子部１２９，１３０は、第１０の貫通孔１０６ａよりも第４の側壁部１１１ｄ側に配置されており、第１の直線方向Ｖ１に沿って第３の側壁部１１１ｃに向かって記載の順番に並んでいる。
【００５２】
端子部１３１，１３２，１３３，１３４は、第１０の貫通孔１０６ａよりも第３の側壁部１１１ｃ側に配置されており、第１の直線方向Ｖ１に記載の順番に第３の側壁部１１１ｃに向かって並んで配置されている。端子部１３１，１３２，１３３，１３４，１３５，１３６の上部は、第１の区画梁１１２に対して上方向に突出している。
【００５３】
第１０の貫通孔１０６ａにおいて第２の収容空間１１６内に開口している部分の直上には、第１のコンデンサ接続端子部（第２のバスバー端子部）１６６が設置されている。すなわち、第１のコンデンサ接続端子部１６６は、スイッチング装置１７５，１７６，１７７，１７８，１８７，１８８が並ぶ第２のスイッチング装置列Ｒ２の列方向において、複数のスイッチング装置１７５，１７６，１７７，１７８，１８７，１８８の任意の２つの間に配されることとなる。
【００５４】
第２の区画梁１１３の第１の区画梁１１２側の内面には、第１５の端子部（第１のバスバー端子部）１３５と、第１６の端子部（第１のバスバー端子部）１３６と、第１７の端子部（第１のバスバー端子部）１３７と、第１８の端子部（第１のバスバー端子部）１３８と、第１９の端子部（第１のバスバー端子部）１３９と、第２０の端子部（第１のバスバー端子部）１４０とが設けられている。
【００５５】
端子部１３５，１３６は、第１０の貫通孔１０６ａよりも第４の側壁部１１１ｄ側に配置されており、第１の直線方向Ｖ１に第３の側壁部１１１ｃに向かって記載の順番に並んでいる。
【００５６】
端子部１３７，１３８，１３９，１４０は、第１の直線方向Ｖ１に第３の側壁部１１１ｃに向かって記載の順番に並んで配置されている。端子部１３５，１３６，１３７，１３８，１３９，１４０の上部は、第２の区画梁１１３に対して上方向に突出している。
【００５７】
第２の区画梁１１３の第３の区画梁１１４側の側面には、第２１の端子部（第１のバスバー端子部）１４１と、第２２の端子部（第１のバスバー端子部）１４２と、第２３の端子部（第１のバスバー端子部）１４３と、第２４の端子部（第１のバスバー端子部）１４４と、第２５の端子部（第１のバスバー端子部）１４５と、第２６の端子部（第１のバスバー端子部）１４６とが設けられている。
【００５８】
端子部１４１，１４２は、第１１の貫通孔１０６ｂに対して第４の側壁部１１１ｄ側に配置されており、第１の直線方向Ｖ１に沿って第３の側壁部１１１ｃに向かって記載の順番に並んでいる。
【００５９】
端子部１４３，１４４，１４５，１４６は、第１１の貫通孔１０６ｂよりも第３の側壁部１１１ｃ側に配置されており、第１の直線方向Ｖ１に第３の側壁部１１１ｃに向かって記載の順番に並んで配置されている。端子部１４１，１４２，１４３，１４４，１４５，１４６の上部は、第２の区画梁１１３に対して上方向に突出している。
【００６０】
第３の区画梁１１４の第２の区画梁１１３側の側面には、第２７の端子部（第１のバスバー端子部）１４７と、第２８の端子部（第１のバスバー端子部）１４８と、第２９の端子部（第１のバスバー端子部）１４９と、第３０の端子部（第１のバスバー端子部）１５０と、第３１の端子部（第１のバスバー端子部）１５１と、第３２の端子部（第１のバスバー端子部）１５２とが設けられている。
【００６１】
端子部１４７，１４８は、第１１の貫通孔１０６ｂによりも第４の側壁部１１１ｄ側に配置されており、第１の直線方向Ｖ１に第３の側壁部１１１ｃに向かって記載の順番に並んでいる。
【００６２】
端子部１４９、１５０，１５１，１５２は、第１１の貫通孔１０６ｂよりも第３の側壁部１１１ｃ側に配置されており、第１の直線方向Ｖ１に第３の側壁部１１１ｃに向かって記載の順番に並んで配置されている。
【００６３】
端子部１４７，１４８，１４９，１５０，１５１，１５２の上部は、第３の区画梁１１４に対して上方向に突出している。
【００６４】
第１１の貫通孔１０６ｂにおいて第３の収容空間１１７内に開口する部分の直上には、第４のコンデンサ接続端子部（第２のバスバー端子部）１６７が設置されている。
【００６５】
すなわち、第４のコンデンサ接続端子部１６７は、スイッチング装置１７９，１８０，１８１，１８２，１８９，１９０が並ぶ第３のスイッチング装置列Ｒ３の列方向において、スイッチング装置１７９，１８０，１８１，１８２，１８９，１９０のうちの任意の２つのスイッチング装置の間に配されることとなる。
【００６６】
第３の区画梁１１４の第２の側壁部１１１ｂ側の側面には、第３３の端子部（第１のバスバー端子部）１５３と、第３４の端子部（第１のバスバー端子部）１５４と、第３５の端子部（第１のバスバー端子部）１５５と、第３６の端子部（第１のバスバー端子部）１５６と、第３７の端子部（第１のバスバー端子部）１５７と、第３８の端子部（第１のバスバー端子部）１５８とが設けられている。
【００６７】
端子部１５３，１５４は、第１１の貫通孔１０６ｂに対して第４の側壁部１１１ｄ側に配置されており、第１の直線方向Ｖ１に第３の側壁部１１１ｃに向かって記載の順番に並んでいる。
【００６８】
端子部１５５，１５６，１５７，１５８は、第１１の貫通孔１０６ｂよりも第３の側壁部１１１ｃ側に配置されており、第１の直線方向Ｖ１に第３の側壁部１１１ｃに向かって記載の順番に並んで配置されている。端子部１５３，１５４，１５５，１５６，１５７，１５８の上部は、第３の区画梁１１４に対して上方向に突出している。
【００６９】
第２の側壁部１１１ｂの第３の区画梁１１４側の側面には、第３９の端子部（第１のバスバー端子部）１５９と、第４０の端子部（第１のバスバー端子部）１６０と、第４１の端子部（第１のバスバー端子部）１６１と、第４２の端子部（第１のバスバー端子部）１６２と、第４３の端子部（第１のバスバー端子部）１６３と、第４４の端子部（第１のバスバー端子部）１６４とが設けられている。
【００７０】
端子部１５９，１６０は、第１１の貫通孔１０６ｂに対して第４の側壁部１１１ｄ側に配置されており、第１の直線方向Ｖ１に第３の側壁部１１１ｃに向かって記載の順番に並んでいる。
【００７１】
端子部１６１，１６２，１６３，１６４は、第４の貫通孔１６ｂよりも第３の側壁部１１１ｃ側に配置されており、第１の直線方向Ｖ１に第３の側壁部１１１ｃに向かって記載の順番に第４の側壁部１１１ｄから第３の側壁部１１１ｃに向かって並んで配置されている
端子部１５９，１６０，１６１，１６２，１６３，１６４の上部は、第３の区画梁１１４に対して上方向に突出している。
【００７２】
第１１の貫通孔１０６ｂにおいて第４の収容空間１１８内に開口する部分の直上には、第２のコンデンサ接続端子部（第２のバスバー端子部）１６８が設けられている。
【００７３】
すなわち、第２のコンデンサ接続端子部１６８は、スイッチング装置１８３，１８４，１８５，１８６，１９１，１９２が並ぶ第４のスイッチング装置列Ｒ４の列方向において、スイッチング装置１８３，１８４，１８５，１８６，１９１，１９２のうちの任意の２つの間に配されることとなる。
【００７４】
このように、第２の側壁部１１１ｂの側面と区画梁１１２，１１３，１１４の両側面には、第１０の貫通孔１０６ａまたは第１１の貫通孔１０６ｂを挟んで第３の側壁部１１１ｃ側に４つの端子を設け、第１０の貫通孔１０６ａまたは第１１の貫通孔１０６ｂを挟んで第４の側壁部１１１ｄ側に２つの端子を設けている。
【００７５】
この為、復路１０４ｂの第１の直線方向Ｖ１に沿う幅は、第１の直線方向Ｖ１に４個のスイッチング装置を並べた長さよりも長くなるように設定されている。往路１０４ａの第１の直線方向Ｖ１に沿う幅は、第１の直線方向Ｖ１に２個のスイッチング装置を並べた長さよりも長くなるように設定されている。
【００７６】
平滑コンデンサ３１は、図２に示すように、冷却器１００の下方に設置されている。言い換えると、平滑コンデンサ３１は、冷却器１００のベース面１０１ａ側に配置されている。図７は、平滑コンデンサ３１を示す斜視図である。図７に示すように、平滑コンデンサ３１は、コンデンサ部３１ａ、第１の正極端子部（コンデンサ端子部、正極端子部）３２、第２の正極端子部（コンデンサ端子部、正極端子部）３３、第１の負極端子部（コンデンサ端子部、負極端子部）３４、第２の負極端子部（コンデンサ端子部、負極端子部）３５、正極端子部連結部３６、及び、負極端子部連結部３７を有している。
【００７７】
コンデンサ部３１ａは、一例として、直方体形状を有している。第１の正極端子部３２は、コンデンサ部３１ａから突出している。第２の正極端子部３３は、コンデンサ部３１ａの第１の正極端子部３２に対して長手方向に離れた位置から、第１の正極端子部３２と同方向に突出している。正極端子部連結部３６は、正極端子部３２，３３の基部同士を連結しており、コンデンサ部３１ａの長手方向に延びている。なお、正極端子部３２，３３及び正極端子部連結部３６は、例えば一枚の金属板材料から一体に形成されている。
【００７８】
第１の負極端子部３４は、コンデンサ部３１ａの第１の正極端子近傍から、第１の正極端子部３２と同方向に突出している。第２の負極端子部３５は、コンデンサ部３１ａの第１の負極端子部３４に対して長手方向に離れた位置から、第１の正極端子と同方向に突出している。第２の負極端子部３５は、第２の正極端子部３３の近傍に配置されている。負極端子部連結部３７は、負極端子部３４，３５の基部同士を連結しており、コンデンサ部３１ａの長手方向に延びている。なお、負極端子部３４，３５及び負極端子部連結部３７は、例えば一枚の金属材料から一体に形成されている。負極端子部３４，３５間に、正極端子部３２、３３が配置されている。
【００７９】
正極端子部３２，３３及び正極端子部連結部３６の一体物と、負極端子部３４，３５及び負極端子部連結部３７の一体物とは、互いに絶縁されている。例えば、正極端子部３２，３３及び正極端子部連結部３６の一体物は、負極端子部３４，３５及び負極端子部連結部３７の一体物との間に隙間を有している。または、間に絶縁物が介装されている。
【００８０】
次に、平滑コンデンサ３１の冷却ブロック１０２への取り付けについて説明する。平滑コンデンサ３１は、正極端子部３２，３３及び負極端子部３４，３５が上下方向Ｖ３に平行となる姿勢で、冷却ブロック１０２の下方から取り付けられる。すなわち、コンデンサ部３１ａは、ベース面１０１ａ側に配される。
【００８１】
第１の正極端子部３２は、その一部が貫通孔１０９ａ，１０６ａ内に配置されている。第１の正極端子部３２の上部は、受熱面１０１よりも上方に位置している。すなわち、第１の正極端子部３２は、受熱面１０１側に至る。第１の正極端子部３２の上部は、第１のコンデンサ接続端子部１６６に電気的に接続される。
【００８２】
第２の正極端子部３３は、その一部が貫通孔１０９ｂ，１０６ｂ内に配置されている。第２の正極端子部３３の上部は、受熱面１０１よりも上方に位置している。すなわち、第２の正極端子部３３は、受熱面１０１側に至る。第２の正極端子部３３の上部は、第２のコンデンサ接続端子部１６８に電気的に接続されている。
【００８３】
第１の負極端子部３４は、その一部が貫通孔１０９ａ，１０６ａ内に配置されている。第１の負極端子部３４の上部は、受熱面１０１よりも上方に位置している。すなわち、第１の負極端子部３４は、受熱面１０１側に至る。第１の負極端子部３４の上部は、第３のコンデンサ接続端子部１６５に電気的に接続されている。
【００８４】
第２の負極端子部３５は、その一部が貫通孔１０９ｂ，１０６ｂ内に配置されている。第２の負極端子部３５の上部は、受熱面１０１よりも上方に位置している。すわなち、第２の負極端子部３５は、受熱面１０１側に至る。第２の負極端子部３５の上部は、第４のコンデンサ接続端子部１６７に電気的に接続されている。
【００８５】
図８は、配線構造１２０及びスイッチング装置を示す平面図である。図８に示すように、配線構造１２０は、複数のスイッチング装置を互いに電気的に接続することによって、ＤＣ−ＤＣコンバータ２０、インバータ３０、及び、コンバータ４０を構成可能に形成されている。また、配線構造１２０は、ＤＣ−ＤＣコンバータ２０を電池５に電気的接続可能に、インバータ３０を電動モータ６に接続可能に、及びコンバータ４０をジェネレータ７に電気的に接続可能に形成されている。
【００８６】
配線構造１２０は、具体的には、コレクタバスバー２００と、エミッタバスバー２２０と、を有している。
【００８７】
コレクタバスバー２００は、ＤＣ−ＤＣコンバータ２０の正側電極、インバータ３０の正側電極、及び、コンバータ４０の正側電極に電気的に接続可能に形成されている。エミッタバスバー２２０は、ＤＣ−ＤＣコンバータ２０の負側電極、インバータ３０の負側電極、及び、コンバータ４０の負側電極に電気的に接続可能に形成されている。
【００８８】
また、配線構造１２０は、インバータ３０と電動モータ６のＵ相端子６ａとに接続可能に形成されるモータＵ相バスバー２４０と、インバータ３０と電動モータ６のＶ相端子６ｂとに接続可能に形成されるモータＶ相バスバー２５０と、インバータ３０と電動モータ６のＷ相端子６ｃとに接続可能に形成されるモータＷ相バスバー（第３のインバータ用バスバー）２６０と、を有している。
【００８９】
また、配線構造１２０は、コンバータ４０とジェネレータ７のＵ相端子７ａとに接続可能に形成されるジェネレータＵ相バスバー（第１のコンバータ用バスバー）２７０と、コンバータ４０とジェネレータ７のＶ相端子７ｂとに接続可能に形成されるジェネレータＶ相バスバー（第２のコンバータ用バスバー）２８０と、コンバータ４０とジェネレータ７のＷ相端子７ｃとに接続可能に形成されるジェネレータＷ相バスバー（第３のコンバータ用バスバー）２９０とを有している。
【００９０】
また、配線構造１２０は、電池５の正極に接続可能に形成される電池正極バスバー３００（図１に示す）と、電池５の負極に接続可能に形成される電池負極バスバー３１０（図１に示す）と、ＤＣ−ＤＣコンバータ２０の上下アームを構成可能に形成される上下アーム構成バスバー３２０と、を有している。なお、図４，６，９では、電池正極バスバー３００と電池負極バスバー３１０とは、省略されている。
【００９１】
図９は、エミッタバスバー２２０，電池正極バスバー３００，及び、電池負極バスバー３１０が省略された配線構造１２０と、スイッチング装置と、を示す平面図である。図１０は、コレクタバスバー２００が省略された配線構造１２０と、スイッチング装置と、を示す平面図である。
【００９２】
図９に示すように、コレクタバスバー２００は、第１の区画梁１１２内に収容される第１のコレクタバスバー（バスバー、コレクタバスバー）２０２と、第３の区画梁１１４内に収容される第２のコレクタバスバー（バスバー、コレクタバスバー）２１０と、を有している。すなわち、第１のコレクタバスバー２０２は、第１の区画梁１１２内に支持されている。第２のコレクタバスバー２１０は、第３の区画梁１１４内に支持される。
【００９３】
第１のコレクタバスバー２０２は、一方向に長い板形状すなわち帯状の金属材料に対して折り曲げ加工を施すことによって形成されている。第１のコレクタバスバー２０２は、ＤＣ−ＤＣコンバータ２０の正側電極に接続可能に形成されている。また、第１のコレクタバスバー２０２は、インバータ３０を構成する複数のスイッチング装置のうちの一部のスイッチング装置のコレクタ端子が接続可能に形成されている。また、第１のコレクタバスバー２０２は、コンバータ４０を構成する複数のスイッチング装置のうちの一部のスイッチング装置のコレクタ端子が接続可能に形成されている。
【００９４】
第１のコレクタバスバー２０２は、具体的には、第１の基部（基部）２０３と、第１の基部２０３から分岐される第１の分岐部２０４と、第１の基部２０３と第１の分岐部２０４とに連結されて第１の基部２０３と第１の分岐部２０４とを電気的に接続する第１の連結部２０５と、第１の基部２０３から分岐される第２の分岐部２０６と、第１の基部２０３と第２の分岐部２０６とに連結されて第１の基部２０３と第２の分岐部２０６とを電気的に接続する第２の連結部２０７と、を有している。
【００９５】
第１の区画梁１１２内を通り第１の直線方向Ｖ１に平行となる第１のバスバー用基準直線Ｘ４を設定すると、第１のコレクタバスバー２０２の第１の基部２０３は、第１のバスバー用基準直線Ｘ４に沿って配置されることとなる。
【００９６】
さらに具体的に説明する。ここで、第１の平面Ｐ１、第２の平面Ｐ２、及び、第３の平面Ｐ３を設定する。第１の平面Ｐ１は、第１の区画梁１１２の第１の側壁部１１１ａ側の側面近傍に設定されており、第２の直線方向Ｖ２に直交する平面である。第２の平面Ｐ２は、第１の区画梁１１２の第２の区画梁１１３側の側面近傍に設定されており、第２の直線方向Ｖ２に垂直な平面である。第３の平面Ｐ３は、平面Ｐ１，Ｐ２間に設定されており、第２の直線方向Ｖ２に垂直な平面である。
【００９７】
第１のコレクタバスバー２０２の説明に戻る。第１の基部２０３は、第１０の端子部１３０が設けられる位置から第１２の端子部１３２が設けられる位置まで、第２の平面Ｐ２に沿って延びている。第１のコレクタバスバー２０２は、下端面２０２ａが平面となる板形状である。下端面２０２ａは、冷却器１００側の面である。第１の基部２０３の第２の区画梁１１３側の側面２０３ａは、平面であって、第２の平面Ｐ２内に配置されている。側面２０３ａは、第２の平面Ｐ２に平行である。
【００９８】
第１の基部２０３は、上下方向Ｖ３の幅が一例として一定である。第１の基部２０３の第２の直線方向Ｖ２の厚みは、一例として一定である。第１の基部２０３の上下方向Ｖ３の幅は、第２の直線方向Ｖ２の厚みに対して大きい。
【００９９】
図１１は、配線構造１２０を示す斜視図である。図１１に示すように、第１の基部２０３には、第１０の端子部１３０と、第１１の端子部１３１と、第１２の端子部１３２と、が形成されている。
【０１００】
端子部１３０，１３１，１３２は、第１の基部２０３の上端に設けられており、第１の基部２０３に対して上方向に突出している。第１０の端子部１３０の第２の区画梁１１３側の側面１３０ａと、第１１の端子部１３１の第２の区画梁１１３側の側面１３１ａと、第１２の端子部１３２の第２の区画梁１１３側の側面１３２ａは、図９に示すように、平面であり、第２の平面Ｐ２内に配置されている。側面１３０ａ，１３１ａ，１３２ａは、第２の平面Ｐ２に平行である。
【０１０１】
第１の分岐部２０４は、上下方向Ｖ３の幅及び第２の直線方向Ｖ２の厚みが第１の基部２０３と同じである板形状であって、第１の平面Ｐ１に沿って配置されている。第１の分岐部２０４は、第５の端子部１２５が設けられる位置から第６の端子部１２６が設けられる位置まで延びている。第１の分岐部２０４の第１の側壁部１１１ａ側の側面２０４ａは、第１の平面Ｐ１内に配置されている。側面２０４ａは、第１の平面Ｐ１に平行である。
【０１０２】
第１の分岐部２０４は、図１１に示すように、上端に第５の端子部１２５と第６の端子部１２６とが設けられている。端子部１２５，１２６は、第１の分岐部２０４に対して上方向に突出している。第５の端子部１２５の第１の側壁部１１１ａ側の側面１２５ａと，第６の端子部１２６の第１の側壁部１１１ａ側の側面１２６ａとは、図９に示すように、第１の平面Ｐ１内に配置されている。側面１２５ａ，１２６ａは、第１の平面Ｐ１に平行である。
【０１０３】
第１の連結部２０５は、第１の基部２０３の下端と第１の分岐部２０４の下端とに連結されている。第１の連結部２０５は、第１の分岐部２０４の下端の全域と、第１の基部２０３において第１１の端子部１３１から第１２の端子部１３２までの範囲とに連結される大きさを有している。第１の連結部２０５の下端面２０５ａ（図１２に示す）は、第１の基部２０３において第１の連結部２０５が連結されていない範囲の下端面と面一である。
【０１０４】
第１の連結部２０５と第１の分岐部２０４とは、第１の基部２０３から突出する突出部に折り曲げ加工を施すことによって、形成されている。折り曲げ加工について、説明する。
【０１０５】
図１２は、第１のコレクタバスバー２０２を示す斜視図である。上述のように、第１の連結部２０５及び第１の分岐部２０４は、第１の基部２０３の下端に一体に形成され下方に突出する突出部２０８に折り曲げ加工を施すことによって形成されている。図中、折り曲げ加工が施される前の突出部２０８を２点鎖線で示す。
【０１０６】
すなわち、第１の分岐部２０４と第１の連結部２０５は、第１の基部２０３の受熱面１０１側の縁から屈曲して延出する、延出部及び第１の延出部の一例を形成している。
【０１０７】
第１の基部２０３には、突出部２０８の側方の位置すなわち突出部２０８の基端部分に隣接する位置に折り曲げ用の切れ込みＧが形成されている。切れ込みＧは、第１の基部２０３の下端面２０３ｂに開口している。切れ込みＧがあることによって、突出部２０８を第１の基部２０３の下端面２０３ｂよりも上下方向Ｖ３に奥側の位置つまり上方から折り曲げることができる。  突出部２０８は、第１の基部２０３において第１の連結部２０５が連結されていない部分の下端面と第１の連結部２０５の下端面２０５ａが面一になるように、第１の基部２０３の下端面２０３ｂよりも上方の位置から折り曲げている。言い換えると、第１の基部２０３の下端と第１の連結部２０５の下端面２０５ａとが、同一平面上に配置される。
【０１０８】
第１のコレクタバスバー２０２は、第１の連結部２０５の下端面２０５ａが上下方向Ｖ３に直交する姿勢で設置されている。
【０１０９】
第２の分岐部２０６は、図９に示すように、第２の収容空間１１６内の第１０の貫通孔１０６ａの直上に配置されている。第２の分岐部２０６は、第１の直線方向Ｖ１に直交する板形状である。第２の分岐部２０６には、第１のコンデンサ接続端子部１６６が形成されている。
【０１１０】
第２の連結部２０７は、第１の基部２０３の上端と第２の分岐部２０６とに連結されている。第２の連結部２０７と第２の分岐部２０６とは、図１２に示すように、第１の基部２０３の上端に一体に形成され、上方に突出する突出部２０９に対して折り曲げ加工を施すことによって、形成されている。
【０１１１】
突出部２０９は、具体的には、折り曲げ加工を施すことによって第２の分岐部２０６が第１の直線方向Ｖ１に直交する姿勢となる形状を有している。突出部２０９に対して曲げ部Ｂ１に第２の直線方向Ｖ２に曲げる曲げ加工を施し、曲げ部Ｂ２に第１の直線方向Ｖ１に曲げる曲げ加工を施すことによって、第２の分岐部２０６と第２の連結部２０７とが形成されている。
【０１１２】
第２のコレクタバスバー２１０は、一方向に長い板形状すなわち帯状の金属材料に対して折り曲げ加工を施すことによって形成されている。第２のコレクタバスバー２１０は、図９に示すように、インバータ３０を構成する複数のスイッチング装置のうちの一部のスイッチング装置のコレクタ端子が接続可能に形成されている。また、第２のコレクタバスバー２１０は、コンバータ４０を構成する複数のスイッチング装置のうちの一部のスイッチング装置のコレクタ端子が接続可能に形成されている。
【０１１３】
第２のコレクタバスバー２１０は、第２の基部（基部）２１１と、第２の基部２１１から分岐された第３の分岐部２１２と、第２の基部２１１から分岐された第４の分岐部２１３と、第２の基部２１１と第３の分岐部２１２とに連結されて第２の基部２１１と第３の分岐部２１２とを電気的に接続する第３の連結部２１４と、第２の基部２１１と第４の分岐部２１３とに連結されて第２の基部２１１と第４の分岐部２１３とを電気的に接続する第４の連結部２１５と、第２の基部２１１から分岐された第５の分岐部２１６と、第２の基部２１１と第５の分岐部２１６とに連結されて第２の基部２１１と第５の分岐部２１６とを電気的に接続する第５の連結部２１７と、を有している。
【０１１４】
第３の区画梁１１４内を通り第１の直線方向Ｖ１に平行となる第２のバスバー用基準直線Ｘ５を設定すると、第２のコレクタバスバー２１０の第２の基部２１１は、第２のバスバー用基準直線Ｘ５に沿って配置されることとなる。
【０１１５】
第２の基部２１１について、さらに具体的に説明する。第２の基部２１１は、上下方向Ｖ３の幅が一例として一定であり、第２の直線方向Ｖ２の厚みが一例として一定である板形状である。上下方向Ｖ３の幅は、第２の直線方向Ｖ２の厚みよりも大きい。第２の基部２１１は、第３４の端子部１５４が設けられる位置から第３６の端子部１５６が設けられる位置まで第１の直線方向に延びている。
【０１１６】
ここで、第４の平面Ｐ４、第５の平面Ｐ５、及び、第６の平面Ｐ６を設定する。第４の平面Ｐ４は、第３の区画梁１１４の第２の区画梁１１３側の側面近傍に設定されており、第２の直線方向Ｖ２に直交する平面である。第５の平面Ｐ５は、第３の区画梁１１４の第２の側壁部１１１ｂ側の側面近傍に設定されており、第２の直線方向Ｖ２に直交する平面である。第６の平面Ｐ６は、平面Ｐ４，Ｐ５間に設定されており、第２の直線方向Ｖ２に直交する平面である。
【０１１７】
第２のコレクタバスバー２１０の説明に戻る。第２の基部２１１は、第５の平面Ｐ５に沿って延びている。第２の基部２１１の第２の側壁部１１１ｂ側の側面２１１ａは、平面であって、第５の平面Ｐ５内に配置されている。側面２１１ａは、第５の平面Ｐ５に平行である。
【０１１８】
第２の基部２１１の上端には、図１１に示すように、第３４の端子部１５４と、第３５の端子部１５５と、第３６の端子部１５６と、が設けられている。端子部１５４，１５５，１５６は、第２の基部２１１に対して上方に突出している。
【０１１９】
第３４の端子部１５４の第２の側壁部１１１ｂ側の側面１５４ａと、第３５の端子部１５５の第２の側壁部１１１ｂ側の側面１５５ａと、第３６の端子部１５６の第２の側壁部１１１ｂ側の側面１５６ａとは、図９に示すように、平面であり、第５の平面Ｐ５内に配置されている。側面１５４ａ，１５５ａ，１５６ａは、第５の平面Ｐ５に平行である。
【０１２０】
第３の分岐部２１２は、上下方向Ｖ３の幅と第２の直線方向Ｖ２の厚みが、第２の基部２１１の上下方向Ｖ３の幅と第２の直線方向Ｖ２の厚みと同じとなる、板形状である。第３の分岐部２１２は、第２８の端子部１４８が設けられる位置に配置されている。第３の分岐部２１２の第２の区画梁１１３側の側面２１２ａは、第４の平面Ｐ４内に配置されている。側面２３２ａは、第４の平面Ｐ４に平行である。
【０１２１】
第３の分岐部２１２の上端には、図１１に示すように、第２８の端子部１４８が設けられている。第２８の端子部１４８は、第３の分岐部２１２に対して上方に突出している。第２８の端子部１４８の第２の区画梁１１３側の側面１４８ａは、第４の平面Ｐ４内に配置されている。側面１４８ａは、第４の平面Ｐ４に平行である。
【０１２２】
第３の連結部２１４は、第２の基部２１１の下端と第３の分岐部２１２の下端とに連結されている。第３の連結部２１４は、第３の分岐部２１２の下端の全域と、第２の基部２１１において第３４の端子部１５４が形成される範囲とに連結される大きさを有している。第３の連結部２１４の下端面は、第２の基部２１１において第３の連結部２１４が連結されていない範囲の下端面と面一な平面に形成されている。
【０１２３】
第３の連結部２１４と第３の分岐部２１２とは、第１のコレクタバスバー２０２の第１の分岐部２０４と第１の連結部２０５と同様に、第２の基部２１１に形成される突出部に対して曲げ加工を施すことによって形成されている。第２の基部２１１の下端面においてこの突出部の側方すなわちこの突出部の基端部分に隣接する位置には、切れ込みＧと同様の機能を有する切れ込みが形成されている。
【０１２４】
この切れ込みによって、第３の連結部２１４を第２の基部２１１の下端面よりも上方の位置から折り曲げることができるので、第３の連結部２１４の下端面と第２の基部２１１の下端面とを、図１２に示す第１のコレクタバスバー２０２と同様に、面一にすることができる。
【０１２５】
すなわち、第３の連結部２１４と第３の分岐部２１２とは、第２の基部２１１の受熱面１０１側の縁から屈曲して延出する、延出部、及び、第１の延出部の一例を構成している。
【０１２６】
第４の分岐部２１３は、上下方向Ｖ３の幅と第２の直線方向Ｖ２の厚みとが、一例として、第２の基部２１１の上下方向Ｖ３の幅と第２の直線方向Ｖ２の厚みと同じとなる板形状である。
【０１２７】
第４の分岐部２１３は、第２９の端子部１４９が設けられる位置から第３０の端子部１５０が設けられる位置まで第１の直線方向Ｖ１に延びている。第４の分岐部２１３の第２の区画梁１１３側の側面２１３ａは、第４の平面Ｐ４内に配置されている。側面２１３ａは、第４の平面Ｐ４に平行である。
【０１２８】
第４の分岐部２１３は、図１１に示すように、上端に、第２９の端子部１４９と第３０の端子部１５０とが設けられている。端子部１４９，１５０は、第４の分岐部２１３に対して上方に突出している。
【０１２９】
端子部１４９，１５０は、第４の平面Ｐ４に沿って配置されている。第２９の端子部１４９の第２の区画梁１１３側の側面１４９ａ、及び、第３０の端子部１５０の第２の区画梁１１３側の側面１５０ａは、図９に示すように、第４の平面Ｐ４内に配置されている。側面１４９ａ，１５０ａは、第４の平面Ｐ４に平行である。
【０１３０】
第４の連結部２１５は、第４の分岐部２１３の下端の全域と、第２の基部２１１の第３５の端子部１５５が設けられる位置から第３６の端子部１５６が設けられる位置までの範囲とに連結される大きさを有している。第４の連結部２１５の下端面は、第２の基部２１１の下端面と面一な平面に形成されている。
【０１３１】
第４の連結部２１５と第４の分岐部２１３とは、第１のコレクタバスバー２０２の第１の分岐部２０４と第１の連結部２０５と同様に、第２の基部２１１に形成される突出部に対して曲げ加工を施すことによって形成されている。第２の基部２１１の下端面においてこの突出部の側方すなわちこの突出部の基端部分に隣接する位置には、切れ込みＧと同様の機能を有する切れ込みが形成されている。
【０１３２】
この切れ込みによって、突出部を第２の基部２１１の下端面よりも上方の位置から折り曲げることができるので、第４の連結部２１５の下端面と第２の基部２１１の下端面とを、図１２に示す第１のコレクタバスバー２０２と同様に、面一にすることができる。
【０１３３】
すなわち、第４の連結部２１５と第４の分岐部２１３とは、第２の基部２１１の受熱面１０１側の縁から屈曲して延出する、延出部、及び、第１の延出部の一例を構成している。
【０１３４】
第５の分岐部２１６は、図９，１１に示すように、第１１の貫通孔１０６ｂの直上に設けられている。第５の分岐部２１６は、第１の直線方向Ｖ１に直交する板形状である。第５の分岐部２１６には、第２のコンデンサ接続端子部１６８が設けられている。
【０１３５】
第５の連結部２１７は、第２の基部２１１の上端において端子部１５４，１５５の間の部分と第５の分岐部２１６とに連結されている。第２の基部２１１には、第１のコレクタバスバー２０２の突出部２０９と同様の突出部が形成されており、この突出部に対して曲げ加工を施すことによって、第５の連結部２１７と第５の分岐部２１６とが第２の基部２１１に一体に形成されている。
【０１３６】
本実施形態では、平滑コンデンサ３１の正極端子部３２，３３が正極端子部連結部３６を介して電気的に接続されることによって、第１のコレクタバスバー２０２と第２のコレクタバスバー２１０とが電気的に接続される。正極端子部３２，３３と正極端子部連結部３６は、第１のコレクタバスバー２０２と第２のコレクタバスバー２１０とを電気的に接続する連結部として機能している。
【０１３７】
エミッタバスバー２２０は、図１０に示すように、第１の区画梁１１２内に収容され、第１の直線方向Ｖ１に延びる、直線状に形成された第１のエミッタバスバー（バスバー、エミッタバスバー）２２１と、第３の区画梁１１４内に収容され、第１の直線方向Ｖ１に延びる、直線状に形成された第２のエミッタバスバー（バスバー、エミッタバスバー）２３０と、を有している。すなわち、第１のエミッタバスバー２２１は、第１の区画梁１１２に支持されている。第２のエミッタバスバー２３０は、第３の区画梁１１４に支持されている。
【０１３８】
本実施形態では、第１のエミッタバスバー２２１は、一方向に長い板形状すなわち帯状の金属材料に対して曲げ加工を施すことによって形成されている。第２のエミッタバスバー２３０は、一方向に長い板形状すなわち帯状の金属材料に対して曲げ加工を施すことによって形成されている。
【０１３９】
第１のエミッタバスバー２２１は、ＤＣ−ＤＣコンバータ２０の負側電極となる、ＤＣ−ＤＣコンバータ２０を構成する複数のスイッチング装置のうちの一部のスイッチング装置のエミッタ端子が接続可能に形成される。
【０１４０】
また、第１のエミッタバスバー２２１は、インバータ３０を構成する複数のスイッチング装置のうちの一部のスイッチング装置のエミッタ端子が接続可能に形成されている。また、第１のエミッタバスバー２２１は、コンバータ４０を構成する複数のスイッチング装置のうちの一部のスイッチング装置のエミッタ端子が接続可能に形成されている。
【０１４１】
具体的には、第１のエミッタバスバー２２１は、第３の基部（基部）２２２と、第３の基部２２２から分岐された第６の分岐部２２４と、第３の基部２２２と第６の分岐部２２４とに連結され、第３の基部２２２と第６の分岐部２２４とを電気的に接続する第６の連結部２２５と、第３の基部２２２から分岐された第７の分岐部２２６と、第３の基部２２２と第７の分岐部２２６とに連結され、第３の基部２２２と第７の分岐部２２６とを電気的に接続する第７の連結部２２７と、を有している。
【０１４２】
第３の基部２２２は、第１の区画梁１１２内を通り第１の直線方向Ｖ１に平行となる第１のバスバー用基準直線Ｘ４を設定すると、第１のバスバー用基準直線Ｘ４に沿って配置されることとなる。さらに具体的に説明する。
【０１４３】
第３の基部２２２は、第９の端子部１２９が設けられる位置から第１４の端子部１３４が設けられる位置まで延びている。第３の基部２２２は、上下方向Ｖ３の幅は一例として一定であり、第２の直線方向Ｖ２の厚みが一例として一定である板形状である。上下方向Ｖ３の幅は、第２の直線方向Ｖ２の厚みに対して大きい。
【０１４４】
第３の基部２２２は、具体的には、部分２２２ａ、部分２２２ｂ、及び、部分２２２ｃを有している。部分２２２ａは、第９の端子部１２９が設けられる部分を形成している。部分２２２ａの第２の区画梁１１３側の側面２２２ｄは、平面であって、第２の平面Ｐ２内に配置されている。側面２２２ｄは、第２の平面Ｐ２に平行である。
【０１４５】
部分２２２ａには、図１１に示すように、第９の端子部１２９が設けられている。第９の端子部１２９は、部分２２２ａの上端に設けられており、部分２２２ａに対して上方に突出している。第９の端子部１２９の第２の区画梁１１３側の側面１２９ａは、図１０に示すように、平面であって、第２の平面Ｐ２内に配置されている。側面１２９ａは、第２の平面Ｐ２に平行である。
【０１４６】
部分２２２ｂは、端子部１３３，１３４が設けられる部分を形成している。部分２２２ｂは、第２の平面Ｐ２に沿って延びている。部分２２２ｂの第２の区画梁１１３側の側面２２２ｅは、平面であって、第２の平面Ｐ２内に配置されている。側面２２２ｅは、第２の平面Ｐ２に平行である。
【０１４７】
部分２２２ｃは、部分２２７ａ，２２７ｂを連結している。部分２２２ｃは、第３の平面Ｐ３に沿って延びている。
【０１４８】
第６の分岐部２２４は、一例として、上下方向Ｖ３の幅と第２の直線方向Ｖ２の厚みとが、第３の基部２２２の上下方向Ｖ３の幅と第２の直線方向Ｖ２の厚みと同じとなる板形状である。
【０１４９】
第６の分岐部２２４は、第１の平面Ｐ１に沿って形成されており、第７の端子部１２７が設けられる位置から第８の端子部１２８が設けられる位置まで延びている。第６の分岐部２２４は、第２の直線方向Ｖ２に部分２２２ｂに対向する位置に配置されており、部分２２２ｂと略同形状である。
【０１５０】
第６の分岐部２２４の第１の側壁部１１１ａ側の側面２２４ａは、第１の平面Ｐ１内に配置されている。側面２２４ａは、第１の平面Ｐ１に平行である。
【０１５１】
第６の分岐部２２４の上端には、図１１に示すように、端子部１２７，１２８が設けられている。端子部１２７，１２８は、第６の分岐部２２４に対して上方に突出している。
【０１５２】
第７の端子部１２７の第１の側壁部１１１ａ側の側面１２７ａと、第８の端子部１２８の第１の側壁部１１１ａ側の側面１２８ａとは、図１０に示すように、第１の平面Ｐ１内に配置されている。側面１２７ａ，１２８ａは、第１の平面Ｐ１に平行である。
【０１５３】
第６の連結部２２５は、第６の分岐部２２４の下端と第３の基部２２２の部分２２２ｂの下端に連結されている。第６の連結部２２５は、第６の分岐部２２４の下端の全域と第３の基部２２２の部分２２２ｂの下端の全域とに連結される大きさを有している。
【０１５４】
第６の連結部２２５と第６の分岐部２２４とは、第１のコレクタバスバー２０２の第１の分岐部２０４と第１の連結部２０５と同様に、第３の基部２２２に形成される突出部に対して曲げ加工を施すことによって形成されている。第３の基部２２２の下端面においてこの突出部の側方すなわちこの突出の基端部分に隣接する位置には、切れ込みＧと同様の機能を有する切れ込みが形成されている。
【０１５５】
この切れ込みによって、突出部を第３の基部２２２の下端面よりも上方の位置から折り曲げることができるので、第６の連結部２２５の下端面と第３の基部２２２の下端面とを、図１２に示す第１のコレクタバスバー２０２と同様に、面一にすることができる。
【０１５６】
すなわち、第６の連結部２２５と第６の分岐部２２４とは、第３の基部２２２の受熱面１０１側の縁から屈曲して延出する、延出部、及び、第２の延出部の一例を構成する。
【０１５７】
第７の分岐部２２６は、第１１の貫通孔１０６ｂの直上に設けられている。第７の分岐部２２６は、第１の直線方向Ｖ１に直交する板形状である。第７の分岐部２２６には、第３のコンデンサ接続端子部１６５が設けられている。
【０１５８】
第７の連結部２２７は、図１０に示すように、第３の基部２２２の上端において端子部１３０，１３１の間の部分と第７の分岐部２２６とに連結されている。第３の基部２２２には、第１のコレクタバスバー２０２の突出部２０９と同様の突出部が形成されており、この突出部に対して曲げ加工を施すことによって、第７の連結部２２７と第７の分岐部２２６とが第３の基部２２２に一体に形成されている。
【０１５９】
第２のエミッタバスバー２３０は、インバータ３０を構成する複数のスイッチング装置のうちの一部のスイッチング装置のエミッタ端子が接続可能に形成されている。また、第２のエミッタバスバー２３０は、コンバータ４０を構成する複数のスイッチング装置のうちの一部のスイッチング装置のエミッタ端子が接続可能に形成されている。
【０１６０】
第２のエミッタバスバー２３０は、具体的には、第４の基部（基部）２３１と、第４の基部２３１から分岐された第８の分岐部２３２と、第４の基部２３１と第８の分岐部２３２とに連結され、第４の基部２３１と第８の分岐部２３２とを電気的に接続する第８の連結部２３３と、第４の基部２３１に対して分岐された第９の分岐部２３４と、第４の基部２３１と第９の分岐部２３４とに連結され、第４の基部２３１と第９の分岐部２３４とを電気的に接続する第９の連結部２３５と、第４の基部２３１から分岐された第１０の分岐部２３６と、第４の基部２３１と第１０の分岐部２３６とに連結され、第４の基部２３１と第１０の分岐部２３６とを電気的に接続する第１０の連結部２３７と、を有している。
【０１６１】
第４の基部２３１は、第３の区画梁１１４内を通り第１の直線方向Ｖ１に平行となる第２のバスバー用基準直線Ｘ５（図４に示す）を設定すると、第２のバスバー用基準直線Ｘ５に沿って配置されることとなる。さらに具体的に説明する。
【０１６２】
第４の基部２３１は、第３３の端子部１５３が設けられる位置から第３８の端子部１５８が設けられる位置まで延びている。第４の基部２３１は、上下方向Ｖ３の幅が一例として一定であり、第２の直線方向Ｖ２の厚みが一例として一定である板形状である。上下方向Ｖ３の幅は、第２の直線方向Ｖ２の厚みよりも大きい。
【０１６３】
第４の基部２３１は、具体的には、部分２３１ａと、部分２３１ｂと、部分２３１ｃと、を有している。部分２３１ａは、第３３の端子部１５３が設けられる位置に配置される部分を形成している。部分２３１ｂは、端子部１５７，１５８が設けられる位置に配置される部分を形成している。部分２３ｃは、部分２３１ａ，２３１ｂを連結する。
【０１６４】
部分２３１ａは、第５の平面Ｐ５に沿って延びており、第５の平面Ｐ５上に配置されている。部分２３１ａの第２の側壁部１１１ｂ側の側面２３１ｄは、平面であって、第５の平面Ｐ５内に配置されている。側面２３１ｄは、第５の平面Ｐ５に平行である。
【０１６５】
部分２３１ａの上端には、図１１に示すように、第３３の端子部１５３が設けられている。第３３の端子部１５３は、部分２３１ａに対して上方に突出している。第３３の端子部１５３の第２の側壁部１１１ｂ側の側面１５３ａは、平面であり、第５の平面Ｐ５内に配置されている。側面１５３ａは、第５の平面Ｐ５に平行である。
【０１６６】
部分２３１ｂは、第５の平面Ｐ５に沿って延びており、第５の平面Ｐ５上に配置されている。部分２３１ｂの第２の側壁部１１１ｂ側の側面２３１ｅは、平面であって、第５の平面Ｐ５内に配置されている。側面２３１ｅは、第５の平面Ｐ５に平行である。
【０１６７】
部分２３１ｂの上端には、図１１に示すように、端子部１５７，１５８が設けられている。端子部１５７，１５８は、部分２３１ｂに対して上方に突出している。第３７の端子部１５７の第２の側壁部１１１ｂ側の側面１５７ａと、第３８の端子部１５８の第２の側壁部１１１ｂ側の側面１５８ａとは、平面であり、第５の平面Ｐ５内に配置されている。側面１５７ａ，１５８ａは、第５の平面Ｐ５に平行である。部分２３１ｃは、第６の平面Ｐ６に沿って延びている。
【０１６８】
部分２３１ｃは、部分２３１ａ，２３１ｂの間の部分を形成している。
【０１６９】
第８の分岐部２３２は、第２７の端子部１４７が設けられる位置に配置されている。第８の分岐部２３２は、部分２３１ａと第２の直線方向Ｖ２に対向する位置に配置されている。第８の分岐部２３２は、板形状である。第８の分岐部２３２は、第４の平面Ｐ４に沿って配置されており、第２の区画梁１１３側の側面２３２ａが第４の平面Ｐ４内に配置されている。側面２３２ａは、第４の平面Ｐ４に平行である。
【０１７０】
第８の分岐部２３２の上端には、第２７の端子部１４７が設けられている。第２７の端子部１４７は、図１１に示すように、第８の分岐部２３２に対して上方に突出している。第２７の端子部１４７の第２の区画梁１１３の側面１４７ａは、図１０に示すように、第４の平面Ｐ４内に配置されている。側面１４７ａは、第４の平面Ｐ４に平行である。
【０１７１】
第８の連結部２３３は、部分２３１ａの下端と第８の分岐部２３２の下端とに連結されている。第８の連結部２３３は、第８の分岐部２３２の下端の全域と部分２３１ａの略全域とに連結される大きさを有している。
【０１７２】
第８の連結部２３３と第８の分岐部２３２とは、第１のコレクタバスバー２０２の第１の分岐部２０４と第１の連結部２０５と同様に、第４の基部２３１に形成される突出部に対して曲げ加工を施すことによって形成されている。第４の基部２３１の部分２３１ａの下端面においてこの突出部の側方すなわちこの突出部の基端部分に隣接する位置には、切れ込みＧと同様の機能を有する切れ込みが形成されている。
【０１７３】
この切れ込みによって、突出部を第４の基部２３１の下端面よりも上方の位置から折り曲げることができるので、第８の連結部２３３の下端面と第４の基部２３１の下端面とを、図１２に示す第１のコレクタバスバー２０２と同様に、面一にすることができる。
【０１７４】
すなわち、第８の連結部２３３と第８の分岐部２３２とは、第４の基部２３１の受熱面１０１側の縁から屈曲して延出する、延出部、及び、第２の延出部の一例を構成する。
【０１７５】
第９の分岐部２３４は、端子部１５１，１５２が設けられる位置に配置されている。第９の分岐部２３４は、板形状である。第９の分岐部２３４は、第４の平面Ｐ４に沿って配置されており、第２の区画梁１１３側の側面２３４ａは、第４の平面Ｐ４内に配置されている。側面２３４ａは、第４の平面Ｐ４に平行である。
【０１７６】
第９の分岐部２３４の上端には、図１１に示すように、端子部１５１，１５２が設けられている。端子部１５１，１５２は、第９の分岐部２３４に対して上方に突出している。第３１の端子部１５１の第２の区画梁１１３側の側面１５１ａと、第３２の端子部１５２の第２の区画梁１１３側の側面１５２ａとは、図１０に示すように、平面である。側面１５１ａ，１５２ａは、第４の平面Ｐ４内に配置されており、第４の平面Ｐ４に平行である。
【０１７７】
第９の連結部２３５は、第９の分岐部２３４の下端と、部分２３１ｂの下端とに連結されている。第９の連結部２３５は、第９の分岐部２３４の下端全域と部分２３１ｂの下端の略全域とに連結される大きさを有している。
【０１７８】
第９の連結部２３５と第９の分岐部２３４とは、第１のコレクタバスバー２０２の第１の分岐部２０４と第１の連結部２０５と同様に、第４の基部２３１に形成される突出部に対して曲げ加工を施すことによって形成されている。第４の基部２３１の部分２３１ｂの下端面においてこの突出部の側方すなわちこの突出部の基端部分に隣接する位置には、切れ込みＧと同様の機能を有する切れ込みが形成されている。
【０１７９】
この切れ込みによって、突出部を第４の基部２３１の下端面よりも上方の位置から折り曲げることができるので、第８の連結部２３３の下端面と第４の基部２３１の下端面とを、図１２に示す第１のコレクタバスバー２０２と同様に、面一にすることができる。
【０１８０】
すなわち、第９の連結部２３５と第９の分岐部２３４とは、第４の基部２３１の受熱面１０１側の縁から屈曲して延出する、延出部、及び、第２の延出部の一例を構成する。
【０１８１】
第１０の分岐部２３６は、図１０に示すように、第１１の貫通孔１０６ｂの直上に設けられている。第１０の分岐部２３６は、第１の直線方向Ｖ１に直交する板形状である。第１０の分岐部２３６には、第４のコンデンサ接続端子部１６７が設けられている。
【０１８２】
第１０の連結部２３７は、第４の基部２３１の上端において端子部１５４，１５５の間の部分と第１０の分岐部２３６とに連結されている。第４の基部２３１には、第１のコレクタバスバー２０２の突出部２０９と同様の突出部が形成されており、この突出部に対して曲げ加工を施すことによって、第１０の連結部２３７と第１０の分岐部２３６とが第４の基部２３１に一体に形成されている。
【０１８３】
第１１の分岐部２３８は、第３４の端子部１５４が設けられる位置に配置されている。第１１の分岐部２３８は、板形状である。第８の分岐部２３２は、第５の平面Ｐ５に沿って延びており、第２の側壁部１１１ｂ側の側面２３８ａが第５の平面Ｐ５内に配置されている。側面２３８ａは、第５の平面Ｐ５に平行である。
【０１８４】
第１１の分岐部２３８の上端には、第３４の端子部１５４が設けられている。第３４の端子部１５４は、図１１に示すように、第１１の分岐部２３８に対して上方に突出している。第３４の端子部１５４の第２の側壁部１１１ｂの側面１５４ａは、図１０に示すように、第５の平面Ｐ５内に配置されている。側面１５４ａは、第５の平面Ｐ５に平行である。
【０１８５】
第１１の連結部２３９は、部分２３１ａの下端と第１１の分岐部２３８の下端とに連結されている。第１１の連結部２３９は、第１１の分岐部２３８の下端の全域に連結される大きさを有している。
【０１８６】
第１１の分岐部２３８と第１１の連結部２３９とは、第１のコレクタバスバー２０２の第１の分岐部２０４と第１の連結部２０５と同様に、第４の基部２３１に形成される突出部に対して曲げ加工を施すことによって形成されている。第４の基部２３１の部分２３１ａの下端面においてこの突出部の側方すなわちこの突出部の基端部分に隣接する位置には、切れ込みＧと同様の機能を有する切れ込みが形成されている。
【０１８７】
この切れ込みによって、突出部を第４の基部２３１の下端面よりも上方の位置から折り曲げることができるので、第１１の連結部２３９の下端面と第４の基部２３１の下端面とを、図１２に示す第１のコレクタバスバー２０２と同様に、面一にすることができる。
【０１８８】
本実施形態では、平滑コンデンサ３１の負極端子部３４，３５が負極端子部連結部３７を介して電気的に接続されることによって、第１のエミッタバスバー２２１と第２のエミッタバスバー２３０とが電気的に接続される。負極端子部３４，３５と負極端子部連結部３７は、第１のエミッタバスバー２２１と第２のエミッタバスバー２３０とを電気的に接続する連結部として機能している。
【０１８９】
コレクタバスバー２００とエミッタバスバー２２０とは、図８に示すように、基部と分岐部との間のスペースを利用して、互いに電気的に接触しないように、互いに組み合わされている。
【０１９０】
第１のコレクタバスバー２０２では、第１の連結部２０５が第１の基部２０３の下端と第１の分岐部２０４の下端とに連結されているため、第１の基部２０３の上端と第１の分岐部２０４の上端との間は、開口している。
【０１９１】
第１のエミッタバスバー２２１の第３の基部２２２の部分２２２ｃの一部は、第１の基部２０３と第１の分岐部２０４と第１の連結部２０５とによって形成される空間内に配置されている。
【０１９２】
第２のコレクタバスバー２１０では、第３の連結部２１４が第２の基部２１１の下端と第３の分岐部２１２の下端とに連結されているため、第２の基部２１１の上端と第３の分岐部２１２の上端との間は、開口している。
【０１９３】
また、第２のコレクタバスバー２１０では、第４の連結部２１５が第２の基部２１１の下端と第４の分岐部２１３の下端とに連結されているため、第２の基部２１１の上端と第４の分岐部２１３の上端との間は、開口している。
【０１９４】
第２のエミッタバスバー２３０の第４の基部２３１の部分２３１ｃの一部は、第２の基部２１１と第４の分岐部２１３と第４の連結部２１５によって形成される空間内に配置されている。
【０１９５】
モータＵ相バスバー２４０は、図９に示すように、第２の区画梁１１３内に収容されて、インバータ３０を構成する複数のスイッチング装置のうちの一部のスイッチング装置のエミッタ端子と残りのスイッチング装置のコレクタ端子とが連結可能に形成される第５の基部２４１と、第３の側壁部１１１ｃ内に収容されて第５の基部２４１に連結されるモータＵ相連結バスバー部２４２とを有している。
【０１９６】
ここで、第７の平面Ｐ７、第８の平面Ｐ８、第９の平面Ｐ９、第１０の平面Ｐ１０、及び、第１１の平面Ｐ１１を設定する。第７の平面Ｐ７は、第２の区画梁１１３の第１の区画梁１１２側の側面の近傍に設定されており、第２の直線方向Ｖ２に垂直な平面である。
【０１９７】
第８の平面Ｐ８は、第２の区画梁１１３の第３の区画梁１１４側の側面の近傍に配置されており、第２の直線方向Ｖ２に垂直な平面である。第９の平面Ｐ９は、平面Ｐ７，Ｐ８の間に設定されており、第２の直線方向Ｖ２に垂直な平面である。第１０の平面Ｐ１０は、平面Ｐ８，Ｐ９間に設定されており、第２の直線方向Ｖ２に垂直な平面である。第１１の平面Ｐ１１は、平面Ｐ８，Ｐ１０の間に配置されており、第２の直線方向Ｖ２に直交する平面である。
【０１９８】
モータＵ相バスバー２４０の説明に戻る。第５の基部２４１は、外枠１１１の第３の側壁部１１１ｃから第１７の端子部１３７が設けられる位置まで延びている。第５の基部２４１は、板形状であって、一例として上下方向Ｖ３の幅が一定であり、一例として第２の直線方向Ｖ２の厚みが一定である。上下方向Ｖ３の幅は、第２の直線方向Ｖ２の厚みに対して大きい。
【０１９９】
第５の基部２４１は、第７の平面Ｐ７に沿って延びている。第５の基部２４１の第１の区画梁１１２側の側面２４１ａは、平面であって、第７の平面Ｐ７内に配置されている。側面２４１ａは、第７の平面Ｐ７に平行である。
【０２００】
第５の基部２４１の上端には、端子部１３７，１３８，１３９，１４０が設けられている。端子部１３７，１３８，１３９，１４０は、第５の基部２４１に対して上方に突出している。
【０２０１】
第１７の端子部１３７の第１の区画梁１１２側の側面１３７ａと、第１８の端子部１３８の第１の区画梁１１２側の側面１３８ａと、第１９の端子部１３９の第１の区画梁１１２側の側面１３９ａと、第２０の端子部１４０の第１の区画梁１１２側の側面１４０ａとは、平面であって第７の平面Ｐ７内に配置されている。側面１３７ａ，１３８ａ，１３９ａ，１４０ａは、第７の平面Ｐ７に平行である。
【０２０２】
モータＵ相連結バスバー部２４２は、第３の側壁部１１１ｃ内に収容されている。モータＵ相連結バスバー部２４２は、電動モータ６のＵ相端子６ａに接続される端子２４３を有している。
【０２０３】
端子２４３は、第３の側壁部１１１ｃから出ている。端子２４３は、図４に示すように、冷却器１００の第４の貫通孔１０２ｂに対向するように配置されている。端子２４３は、モータＵ相端子６ａに接続された端子６ｄに電気的に接続されている。
【０２０４】
モータＶ相バスバー２５０は、図１０に示すように、第２の区画梁１１３内に収容されて、インバータ３０を構成する複数のスイッチング装置のうちの一部のスイッチング装置のエミッタ端子と残りのスイッチング装置のコレクタ端子とに連結可能に形成される第６の基部２５１と、第３の側壁部１１１ｃ内に収容されて第６の基部２５１連結されるモータＶ相連結バスバー部２５２と、を有している。
【０２０５】
第６の基部２５１は、第３の側壁部１１１ｃから第２３の端子部１４３が設けられる位置まで延びている。第６の基部２５１は、板形状であって、上下方向Ｖ３の幅が一例として一定であり、第２の直線方向Ｖ２の厚みが一例として一定である。上下方向Ｖ３の幅は、第２の直線方向Ｖ２の厚みよりも大きい。
【０２０６】
第６の基部２５１は、第８の平面Ｐ８に沿って延びている。第６の基部２５１の第３の区画梁１１４側の側面２５１ａは、平面であって、第８の平面Ｐ８内に配置されている。側面２５３ａは、第８の平面Ｐ８に平行である。
【０２０７】
第６の基部２５１の上端には、端子部１４３，１４４，１４５，１４６が設けられている。端子部１４３，１４４，１４５、１４６は、第６の基部２５１に対して上方に突出している。
【０２０８】
第２３の端子部１４３の第３の区画梁１１４側の側面１４３ａ、第２４の端子部１４４の第３の区画梁１１４側の側面１４４ａ、第２５の端子部１４５の第３の区画梁１１４側の側面１４５ａ、及び、第２６の端子部１４６の第３の区画梁１１４側の側面１４６ａは、平面であって第８の平面Ｐ８内に配置されている。側面１４３ａ，１４４ａ，１４５ａ，１４６ａは、第８の平面Ｐ８に平行である。
【０２０９】
第６の基部２５１は、第２の区画梁１１３内に埋め込まれている。端子部１４７，１４８，１４９、１５０は、第２の区画梁１１３に対して上方に突出している。
【０２１０】
モータＶ相連結バスバー部２５２は、第４の側壁部１１１ｄ内に収容されている。モータＶ相連結バスバー部２５２は、電動モータ６のＶ相端子６ｂに電気的に接続される端子２５３を有している。
【０２１１】
端子２５３は、第３の側壁部１１１ｃから出ている。端子２５３は、図４に示すように、冷却器１００の第５の貫通孔１０２ｃに対向するように配置されている。端子２５３は、モータＶ相端子６ｂに接続された端子６ｅに電気的に接続されている。
【０２１２】
モータＷ相バスバー２６０は、図９に示すように、第２の側壁部１１１ｂの厚み内に収容され、インバータ３０を構成する複数のスイッチング装置のうちの一部のスイッチング装置のエミッタ端子とコレクタ端子とを連結可能に形成される第７の基部２６１と、第３の側壁部１１１ｃ内に収容され、第７の基部２６１に連結されるモータＷ相連結バスバー部２６２とを有している。
【０２１３】
ここで、第１２の平面Ｐ１２と、第１３の平面Ｐ１３と、を設定する。第１２の平面Ｐ１２は、第２の側壁部１１１ｂにおいて第３の区画梁１１４側の側面の近傍に設定されており、第２の直線方向Ｖ２に直交する平面である。第１４の平面Ｐ１４は、第１３の平面Ｐ１３に対して第２の直線方向Ｖ２にフレーム１１０の外側に配置されており、第２の直線方向Ｖ２に直交する平面である。
【０２１４】
モータＷ相バスバー２６０の説明に戻る。第７の基部２６１は、第３の側壁部１１１ｃから第４１の端子部１６１が設けられる位置まで延びている。第７の基部２６１は、板形状であって、上下方向Ｖ３の幅が一例として一定であり、第２の直線方向Ｖ２の厚みが一例として一定である。上下方向Ｖ３の幅は、第２の直線方向Ｖ２の厚みに対して大きい。
【０２１５】
第７の基部２６１は、第１２の平面Ｐ１２に沿って延びている。第７の基部２６１の第３の区画梁１１４側の側面２６１ａは、平面であって、第１２の平面Ｐ１２内に配置されている。側面２６１ａは、第１２の平面Ｐ１２に平行である。
【０２１６】
第７の基部２６１の上端には、第４１の端子部１６１と、第４２の端子部１６２と、第４３の端子部１６３と、第４４の端子部１６４と、が設けられている。端子部１６１，１６２，１６３、１６４は、第７の基部２６１に対して上方向に突出している。
【０２１７】
第４１の端子部１６１の第３の区画梁１１４側の側面１６１ａは、平面であって、第１２の平面Ｐ１２内に配置されている。第４２の端子部１６２の第３の区画梁１１４側の側面１６２ａは、平面であって、第１２の平面Ｐ１２内に配置されている。第４３の端子部１６３の第３の区画梁１１４側の側面１６３ａは、平面であって、第１２の平面Ｐ１２内に配置されている。第４４の端子部１６４の第３の区画梁１１４側の側面１６４ａは、平面であって、第１２の平面１２内に配置されている。側面１６１ａ，１６２ａ，１６３ａ，１６４ａは、第１２の平面Ｐ１２に平行である。
【０２１８】
モータＷ相連結バスバー部２６２は、第４の側壁部１１１ｄ内に収容されている。モータＷ相連結バスバー部２６２は、電動モータ６のＷ相端子６ｃは、電気的に接続される端子２６３を有している。
【０２１９】
端子２６３は、第３の側壁部１１１ｃから出ている。端子２６３は、図４に示すように、冷却器１００の第６の貫通孔１０２ｄに対向するように配置されている。端子２６３は、モータＷ相端子６ｃに接続された端子６ｆに電気的に接続されている。
【０２２０】
ジェネレータＵ相バスバー２７０は、図１０に示すように、第２の区画梁１１３の厚み内に収容されてコンバータ４０を構成する複数のスイッチング装置のうちの一部のスイッチング装置のエミッタ端子と残りのスイッチング装置のコレクタ端子とを連結可能に形成される第８の基部２７１と、第３の側壁部１１１ｃ内に収容されるジェネレータＵ相連結バスバー部２７２と、を有している。
【０２２１】
第８の基部２７１は、第３の側壁部１１１ｃから第１５の端子部１３５まで延びる板形状であって、上下方向Ｖ３の幅が一例として一定であり、第２の直線方向Ｖ２の厚みが一例として一定である。上下方向Ｖ３の幅は、第２の直線方向Ｖ２の厚みに対して大きい。
【０２２２】
第８の基部２７１は、部分２７１ａと、部分２７１ｂと、を有している。部分２７１ａは、第１５の端子部１３５と第１６の端子部１３６とが設けられる位置に配置されている。部分２７１ａは、第７の平面Ｐ７に沿って延びている。部分２７１ａの第１の区画梁１１２側の側面２７１ｃは、第７の平面Ｐ７内に配置されている。側面２７１ｃは、第７の平面Ｐ７に平行である。
【０２２３】
部分２７１ａの上端には、端子部１３５，１３６が設けられている。第１５の端子部１３５の第１の区画梁１１２側の側面１３５ａは、第７の平面Ｐ７内に配置されている。第１６の端子部１３６の第１の区画梁１１２側の側面１３６ａは、第７の平面Ｐ７内に配置されている。側面１３５ａ，１３６ａは、第７の平面Ｐ７に平行である。
【０２２４】
部分２７１ｂは、部分２７１ａとジェネレータＵ相連結バスバー部２７２とに連結されている。部分２７１ｂは、周囲のバスバーに接触することがないように、屈曲している。具体的には、部分２７１ｂは、端子部１３７，１３８と第２の直線方向Ｖ２に対向する範囲が第９の平面Ｐ９内に沿って延び、端子部１３９，１４０と第２の直線方向Ｖ２に対向する範囲が第１０の平面Ｐ１０に沿って延びるように、屈曲している。
【０２２５】
ジェネレータＵ相連結バスバー部２７２は、第４の側壁部１１１ｄ内に収容されている。ジェネレータＵ相連結バスバー部２７２は、ジェネレータ７のＵ相端子７ａに電気的に接続される端子２７３を有している。
【０２２６】
端子２７３は、第３の側壁部１１１ｃから出ている。端子２７３は、図４に示すように、冷却器１００の第７の貫通孔１０２ｅに対向するように配置されている。端子２４３は、ジェネレータＵ相端子７ａに接続された端子７ｄに電気的に接続されている。
【０２２７】
ジェネレータＶ相バスバー２８０は、第２の区画梁１１３内に収容されてコンバータ４０を構成する複数のスイッチング装置のうちの一部のスイッチング装置のエミッタ端子と残りのスイッチング装置のコレクタ端子とを連結可能に形成される第９の基部２８１と、第２の側壁部１１１ｂ内に収容されて第９の基部２８１に連結されるジェネレータＶ相連結バスバー部２８２と、を有している。
【０２２８】
第９の基部２８１は、板形状であって、上下方向Ｖ３の幅が一例として一定であり、第２の直線方向Ｖ２の厚みが一例として一定である。上下方向Ｖ３の幅は、第２の直線方向Ｖ２の厚みに対して大きい。
【０２２９】
第９の基部２８１は、部分２８１ａを有している。部分２８１ａは、第２１の端子部１４１と第２２の端子部１４２とが設けられる部分を形成している。部分２８１ａは、第８の平面Ｐ８に沿って延びている。部分２８１ａの第３の区画梁１１４側の側面２８１ｃは、平面であって、第８の平面Ｐ８内に配置されている。側面２８１ｃは、第８の平面Ｐ８に平行である。
【０２３０】
部分２８１ａの上端には、端子部１４１，１４２が設けられている。端子部１４１，１４２は、部分２８１ａに対して上方に突出している。
【０２３１】
第２１の端子部１４１の第３の区画梁１１４側の側面１４１ａと、第２２の端子部１４２の第３の区画梁１１４側の側面１４１ａとは、平面であって、第８の平面Ｐ８内に配置されている。側面１４１ａ，１４２ａは、第８の平面Ｐ８に平行である。端子部１４１，１４２は、第２の側壁部１１１ｂよりも上方に突出している。
【０２３２】
第９の基部２８１において部分２８１ａとジェネレータＶ相連結バスバー部２８２とを連結する部分は、他のバスバーに接触することないように屈曲している。
【０２３３】
ジェネレータＶ相連結バスバー部２８２は、第３の側壁部１１１ｃ内に収容されている。ジェネレータＶ相連結バスバー部２８２は、ジェネレータ７のＶ相端子７ｂに電気的に接続される端子２８３を有している。
【０２３４】
端子２８３は、第３の側壁部１１１ｃから出ている。端子２８３は、図４に示すように、冷却器１００の第８の貫通孔１０２ｆに対向するように配置されている。端子２８３は、ジェネレータＶ相端子７ｂに接続された端子７ｅに電気的に接続されている。
【０２３５】
ジェネレータＷ相バスバー２９０は、図１０に示すように、第２の側壁部１１１ｂの厚み内に収容され、コンバータ４０を構成する複数のスイッチング装置のうちの一部のスイッチング装置のエミッタ端子と残りのスイッチング装置のコレクタ端子とを連結可能に形成される第１０の基部２９１と、第２の側壁部１１１ｂ内に収容されて第１０の基部２９１に連結されるジェネレータＷ相連結バスバー部２９２と、を有している。
【０２３６】
第１０の基部２９１は、板形状であって、上下方向Ｖ３の幅が一例として一定であり、第２の直線方向Ｖ２の厚みが一例として一定である。上下方向Ｖ３の幅は、第２の直線方向Ｖ２の厚みに対して大きい。第１０の基部２９１は、部分２９１ａと、部分２９１ｂと、を有している。
【０２３７】
部分２９１ａは、端子部１５９，１６０が設けられる位置に配置されている。部分２９１ａは、第１２の平面Ｐ１２に沿って延びている。部分２９１ａの第３の区画梁１１４側の側面２９１ｃは、第１２の平面Ｐ１２内に配置されている。側面２９１ｃは、第１２の平面Ｐ１２に平行である。
【０２３８】
部分２９１ａの上端には、端子部１５９，１６０が設けられている。端子部１５９，１６０は、部分２９１ａに対して上方に突出しており、かつ、第２の側壁部１１１ｂに対して上方に突出している。
【０２３９】
第３９の端子部１５９の第３の区画梁１１４側の側面１５９ａは、平面であって第１２の平面Ｐ１２内に配置されている。第４０の端子部１６０の第３の区画梁１１４側の側面１６０ａは、第１２の平面Ｐ１２内に配置されている。側面１５９ａ，１６０ａは、第１２の平面Ｐ１２に平行である。
【０２４０】
部分２９１ｂは、部分２９１ａとジェネレータＷ相連結バスバー部２９２とに連結されている。部分２９１ｂは、第１３の平面Ｐ１３に沿って延びている。
【０２４１】
ジェネレータＷ相連結バスバー部２９２は、第２の側壁部１１１ｂ内に収容されている。ジェネレータＷ相連結バスバー部２９２は、ジェネレータ７のＷ相端子７ｃに電気的に接続される端子２９３を有している。
【０２４２】
端子２９３は、第３の側壁部１１１ｃから出ている。端子２９３は、図４に示すように、冷却器１００の第９の貫通孔１０２ｇに対向するように配置されている。端子２９３は、ジェネレータＷ相端子７ｃに接続された端子７ｆに電気的に接続されている。
【０２４３】
上下アーム構成バスバー３２０は、図９に示すように、第１の側壁部１１１ａ内に収容されて、ＤＣ−ＤＣコンバータ２０を構成する複数のスイッチング装置のうちの一部のスイッチング装置のエミッタ端子と残りのスイッチング装置のコレクタ端子とに連結可能に形成される第１１の基部３２１と、第３の側壁部１１１ｃ内に収容されて第１１の基部３２１に連結される連結バスバー部３２２とを有している。
【０２４４】
第１１の基部３２１は、第１の側壁部１１１ａの厚み内に収容されており、第３の側壁部１１１ｃから第１の端子部１２１が設けられる位置まで延びている。第１１の基部３２１は、板形状であって、上下方向Ｖ３の幅が一例として一定であり、第２の直線方向Ｖ２の厚みが一例として一定である。上下方向Ｖ３の幅は、第２の直線方向Ｖ２の厚みに対して大きい。
【０２４５】
ここで、第１４の平面Ｐ１４を設定する。第１４の平面Ｐ１４は、第１の側壁部１１１ａの第１の区画梁１１２側の側面の近傍に設定されており、第２の直線方向Ｖ２に直交する平面である。
【０２４６】
上下アーム構成バスバー３２０の説明に戻る。第１１の基部３２１の第１の区画梁１１２側の側面３２１ａは、平面であって、第１４の平面Ｐ１４内に配置されている。側面３２１ａは、第１４の平面Ｐ１４に平行である。
【０２４７】
第１１の基部３２１の上端には、端子部１２１，１２２，１２３，１２４が設けられている。端子部１２１，１２２，１２３，１２４は、第１１の基部３２１に対して上方に突出しており、かつ、第１の側壁部１１１ａに対して上方に突出している。
【０２４８】
第１の端子部１２１の第１の区画梁１１２側の側面１２１ａは、平面であって、第１４の平面Ｐ１４内に配置されている。第２の端子部１２２の第１の区画梁１１２側の側面１２２ａは、平面であって、第１４の平面Ｐ１４内に配置されている。
【０２４９】
第３の端子部１２３の第１の区画梁１１２側の側面１２３ａは、平面であって、第１４の平面Ｐ１４内に配置されている。第４の端子部１２４の第１の区画梁１１２側の側面１２４ａは、平面であって、第１４の平面Ｐ１４内に配置されている。側面１２１ａ，１２２ａ，１２３ａ，１２４ａは、第１４の平面Ｐ１４に平行である。
【０２５０】
連結バスバー部３２２は、第３の側壁部１１１ｃ内に収容されている。連結バスバー部３２２は、電池正極バスバー３００に接続される端子３２３を有している。
【０２５１】
端子３２３は、第３の側壁部１１１ｃから出ている。端子３２３は、図４に示すように、冷却器１００の第３の貫通孔１０２ａに対向するように配置されている。端子３２３は、電池５の正極端子に電気的に接続された端子５ａに電気的に接続されている。
【０２５２】
電池正極バスバー３００は、電池５の正極と連結バスバー部３２２とに接続可能に形成され、第１の側壁部１１１ａ内と、第１の側壁部１１１ａと第４の側壁部１１１ｄとが連結される外枠１１１の角部内とに収容されている。上記の端子５ａは、電池正極バスバー３００の端子である。
【０２５３】
電池負極バスバー３１０は、電池５の負極とエミッタバスバー２２０とに接続可能に形成され、第１の側壁部１１１ａ内と第３の側壁部１１１ｃ内に収容されている。
【０２５４】
なお、電池正極バスバー３００は、図１に示すように、配線手段３３０を介して、上下アーム構成バスバー３２０に接続される。モータＵ相バスバー２４０とモータＶ相バスバー２５０とモータＷ相バスバー２６０とは、配線手段を介して、電動モータ６の相端子６ａ，６ｂ，６ｃに接続されている。端子６ｄ，６ｅ，６ｆは、この配線手段の端子である。
【０２５５】
ジェネレータＵ相バスバー２７０とジェネレータＶ相バスバー２８０とジェネレータＷ相バスバー２９０とは、ジェネレータ７の相端子７ａ，７ｂ，７ｃに、配線手段を介して電気的に接続されている。端子７ｄ，７ｅ，７ｆは、この配線手段の端子である。
【０２５６】
スイッチング装置は、本実施形態では一例として２２個用いられている。これらスイッチング装置に、順番に、１７１〜１９２の符号を付す。各スイッチング装置は、互いに同じ構造である。スイッチング装置は、所謂両面放熱型及び垂直実装方として、構成されている。スイッチング装置は、図１に示すように、第１の収容空間１１５内に４個収容されている。スイッチング装置は、収容空間１１６，１１７，１１８内に、６個ずつ収容されている。
【０２５７】
図５は、第９のスイッチング装置１７９と、第１３のスイッチング装置１８３と、を示している。図５に示すように、各スイッチング装置は、モールド樹脂体６８と、モールド樹脂体６８内に収容されるパワー半導体素子であるＩＧＢＴ（insulated gate bipolar transistor）５０（図１に示す）及びＦＷＤ（Free Wheeling Diode）素子５５（図１に示す）と、これらパワー半導体素子に接続されるコレクタ端子部（パワーモジュール端子部）６１と、エミッタ端子部（パワーモジュール端子部）６２と、信号端子６４と、を有しており、スイッチング可能に構成されている。ＩＧＢＴとＦＷＤとは、並列接続されている。
【０２５８】
モールド樹脂体６８は、直方体形状である。モールド樹脂体６８の長手方向に沿う１つの側面は、受熱面１０１上に設置される設置面７１となる。コレクタ端子部６１は設置面７１に直交し、かつ、モールド樹脂体６８の短手方向に沿う一方の側面７２から外側に突出している。エミッタ端子部６２は、設置面７１に直交し、かつ、モールド樹脂体６８の短手方向に沿う他方の側面７３から外側に突出している。信号端子６４は、設置面７１に対向する長手方向に沿う面から外側に突出している。
【０２５９】
次に、上述した、ＤＣ−ＤＣコンバータ２０と、インバータ３０と、コンバータ４０とを説明する。
【０２６０】
ＤＣ−ＤＣコンバータ２０は、図１に示すように、第１のスイッチング装置１７１と、第２のスイッチング装置１７２と、第３のスイッチング装置１７３と、第４のスイッチング装置１７４と、を有している。ＤＣ−ＤＣコンバータ２０は、スイッチング装置１７１，１７２，１７３，１７４が、上述した配線構造１２０によって互いに電気的に接続されることによって、構成されている。なお、ＤＣ−ＤＣコンバータ２０は、入力コンデンサ２１と、リアクトル２２を解して電池５に接続されている。
【０２６１】
スイッチング装置１７１，１７３が直列接続されることによって、上下アーム４０１が構成される。スイッチング装置１７２，１７４が直列接続されることによって、上下アーム４０２が構成される。ＤＣ−ＤＣコンバータ２０は、入力コンデンサ２１とリアクトル２２を通して入力された電力を昇圧して平滑コンデンサ３１に印加する。
【０２６２】
ＤＣ−ＤＣコンバータ２０を構成するスイッチング装置１７１，１７２，１７３，１７４の配置について説明する。スイッチング装置１７１，１７２，１７３，１７４は、図４に示すように、第１の収容空間１１５内に収容される。
【０２６３】
第１のスイッチング装置１７１は、受熱面１０１上において第１の端子部１２１と第５の端子部１２５との間の位置に、設置面７１を受熱面１０１に向けた状態で、エミッタ端子部６２の側端面６２ａが第１の側壁部１１１ａ側に位置し、かつ、コレクタ端子部６１の側端面６１ａが第１の区画梁１１２側に位置するように配置されている。
【０２６４】
第１のスイッチング装置１７１のエミッタ端子部６２の側端面６２ａは、第１の端子部１２１の側面１２１ａに面接触している。第１のスイッチング装置１７１のコレクタ端子部６１の側端面６１ａは、第５の端子部１２５の側面１２５ａに面接触している。
【０２６５】
第１のスイッチング装置１７１の設置面７１は、接着剤Ｓによって受熱面１０１に固定されている。接着剤Ｓは、設置面７１の全域に供給されている。接着剤Ｓは、接着剤層Ｓ１を形成している。
【０２６６】
第２のスイッチング装置１７２は、第２の端子部１２２と第６の端子部１２６との間の位置に、設置面７１を受熱面１０１に対向させた状態で、コレクタ端子部６１の側端面６１ａが第１の区画梁１１２側に位置し、かつ、エミッタ端子部６２の側端面６２ａが第１の側壁部１１１ａ側に位置するように配置されている。
【０２６７】
第２のスイッチング装置１７２のエミッタ端子部６２の側端面６２ａは、第２の端子部１２２の側面１２２ａに面接触している。コレクタ端子部６１の側端面６１ａは、第６の端子部１２６の側面１２６ａに面接触している。
【０２６８】
第２のスイッチング装置１７２の設置面７１は、接着剤Ｓによって受熱面１０１に固定されている。接着剤Ｓは、設置面７１の全域に供給されている。接着剤Ｓは、接着剤層Ｓ１を形成している。
【０２６９】
第３のスイッチング装置１７３は、第３の端子部１２３と第７の端子部１２７との間の位置に、設置面７１を受熱面１０１に対向させた状態で、エミッタ端子部６２の側端面６２ａが第１の区画梁１１２側に位置し、かつ、コレクタ端子部６１の側端面６１ａが第１の側壁部１１１ａ側に位置するように配置されている。
【０２７０】
第３のスイッチング装置１７３のエミッタ端子部６２の側端面６２ａは、第７の端子部１２７の側面１２７ａに面接触している。第３のスイッチング装置１７３のコレクタ端子部６１の側端面６１ａは、第３の端子部１２３の側面１２３ａに面接触している。
【０２７１】
第３のスイッチング装置１７３の設置面７１は、接着剤Ｓによって受熱面１０１に固定されている。接着剤Ｓは、設置面７１の全域に供給されている。接着剤Ｓは、接着剤層Ｓ１を形成している。
【０２７２】
第４のスイッチング装置１７４は、第４の端子部１２４と第８の端子部１２８との間の位置に、設置面７１を受熱面１０１に対向させた状態で、エミッタ端子部６２の側端面６２ａが第１の区画梁１１２側に位置し、かつ、コレクタ端子部６１の側端面６１ａが第１の側壁部１１１ａ側に位置するように配置されている。
【０２７３】
第４のスイッチング装置１７４のエミッタ端子部６２の側端面６２ａは、第８の端子部１２８の側面１２８ａに面接触している。第４のスイッチング装置１７４のコレクタ端子部６１の側端面６１ａは、第４の端子部１２４の側面１２４ａに面接触している。
【０２７４】
第４のスイッチング装置１７４の設置面７１は、接着剤Ｓによって受熱面１０１に固定されている。接着剤Ｓは、設置面７１の全域に供給されている。接着剤Ｓは、接着剤層Ｓ１を形成している。
【０２７５】
このように、スイッチング装置１７１，１７２のエミッタ端子部６２とスイッチング装置１７３，１７４のコレクタ端子部６１は、上下アーム構成バスバー３２０に電気的に接続されることによって、互いに電気的に接続される。
【０２７６】
スイッチング装置１７１，１７２のコレクタ端子部６１は、コレクタバスバー２００に電気的に接続される。スイッチング装置１７３，１７４のエミッタ端子部６２は、エミッタバスバー２２０に電気的に接続される。
【０２７７】
また、スイッチング装置１７１，１７２，１７３，１７４は、受熱面１０１上に直線状に並んで配置されることにより、第１のスイッチング装置列（パワーモジュール列）Ｒ１を構成している。
【０２７８】
次に、インバータ３０について説明する。インバータ３０は、図１に示すように、スイッチング装置１７５，１７６，１７７，１７８，１７９，１８０，１８１，１８２，１８３，１８４，１８５，１８６を有しており、これらスイッチング装置が配線構造１２０によって電気的に接続されることによって、構成されている。
【０２７９】
第５のスイッチング装置（パワーモジュール、上アーム用のパワーモジュール）１７５と、第６のスイッチング装置（パワーモジュール、上アーム用のパワーモジュール）１７６と、第７のスイッチング装置（パワーモジュール、下アーム用のパワーモジュール）１７７と、第８のスイッチング装置（パワーモジュール、下アーム用のパワーモジュール）１７８とは、電動モータ６のＵ相端子６ａに接続されるＵ相上下アーム４０４を構成している。スイッチング装置１７５，１７６は、Ｕ相上アームを構成している。スイッチング装置１７７，１７８は、Ｕ相下アームを構成している。
【０２８０】
第９のスイッチング装置（パワーモジュール、上アーム用のパワーモジュール）１７９と、第１０のスイッチング装置（パワーモジュール、上アーム用のパワーモジュール）１８０と、第１１のスイッチング装置（パワーモジュール、下アーム用のパワーモジュール）１８１と、第１２のスイッチング装置（パワーモジュール、下アーム用のパワーモジュール）１８２とは、電動モータ６のＶ相端子６ｂに接続されるＶ相上下アーム４０５を構成している。スイッチング装置１７９，１８０は、Ｖ相上アームを構成している。スイッチング装置１８１，１８２は、Ｖ相下アームを構成している。
【０２８１】
第１３のスイッチング装置（パワーモジュール、上アーム用のパワーモジュール）１８３と、第１４のスイッチング装置（パワーモジュール、上アーム用のパワーモジュール）１８４と、第１５のスイッチング装置（パワーモジュール、下アーム用のパワーモジュール）１８５と、第１６のスイッチング装置（パワーモジュール、下アーム用のパワーモジュール）１８６とは、電動モータ６のＷ相端子６ｃに接続されるＷ相上下アーム４０６を構成している。スイッチング装置１８３，１８４は、Ｗ相上アームを構成している。スイッチング装置１８５，１８６は、Ｗ相下アームを構成している。
【０２８２】
次に、インバータ３０を構成するスイッチング装置１７５，１７６，１７７，１７８，１７９，１８０，１８１，１８２，１８３，１８４，１８５，１８６の配置について説明する。
【０２８３】
スイッチング装置１７５，１７６，１７７，１７８は、第２の収容空間１１６内を通り第１の直線方向Ｖ１に平行なＵ相スイッチング装置用基準直線Ｘ１（図４に示す）を設定すると、このＵ相スイッチング装置用基準直線Ｘ１の受熱面１０１上に配置されることとなる。
【０２８４】
また、受熱面１０１の貫通孔１０６ａ，１０６ｂを通り、Ｕ相スイッチング装置用基準直線Ｘ１に直交する基準平面Ｙ１（図４に示す）を設定すると、スイッチング装置１７５，１７６，１７７，１７８は、受熱面１０１上であって、Ｕ相スイッチング装置用基準直線Ｘ１の受熱面１０１への投影線の基準平面Ｙ１を挟んで一方側に配置されることとなる。
【０２８５】
スイッチング装置１７９，１８０，１８１，１８２は、第３の収容空間１１７内を通り第１の直線方向Ｖ１に平行なＶ相スイッチング装置用基準直線Ｘ２（図４に示す）を設定すると、このＶ相スイッチング装置用基準直線Ｘ２上の受熱面１０１への投影線上に配置されることとなる。
【０２８６】
また、スイッチング装置１７９，１８０，１８１，１８２は、受熱面１０１上であって、Ｖ相スイッチング装置用基準直線Ｘ２の受熱面１０１への投影線の基準平面Ｙ１を挟んで一方側に配置されることとなる。
【０２８７】
スイッチング装置１８３，１８４，１８５，１６は、第４の収容空間１１８内を通り第１の直線方向Ｖ１に平行なＷ相スイッチング装置用基準直線Ｘ３を設定すると、このＷ相スイッチング装置用基準直線Ｘ３の受熱面１０１への投影線上に配置されることとなる。
【０２８８】
また、スイッチング装置１８３，１８４，１８５，１８６は、Ｗ相スイッチング装置用基準直線Ｘ３の受熱面１０１への投影線の基準平面Ｙ１を挟んで一方側に配置されることとなる。
【０２８９】
各スイッチング装置の配置について、より具体的に説明する。Ｕ相上下アーム４０４を構成するスイッチング装置１７５，１７６，１７７，１７８は、図４に示すように、第２の収容空間１１６内に収容されている。第５のスイッチング装置１７５は、第１１の端子部１３１と第１７の端子部１３７との間の位置に、設置面７１を受熱面１０１に対向させた状態で、コレクタ端子部６１の側端面６１ａが第１の区画梁１１２側に位置し、かつ、エミッタ端子部６２の側端面６２ａが第２の区画梁１１３側に位置するように配置されている。
【０２９０】
第５のスイッチング装置１７５のコレクタ端子部６１の側端面６１ａは、第１１の端子部１３１の側面１３１ａに面接触している。エミッタ端子部６２の側端面６２ａは、第１７の端子部１３７の側面１３７ａに面接触している。第５のスイッチング装置１７５の設置面７１は、接着剤Ｓによって受熱面１０１に固定されている。接着剤Ｓは、設置面７１の全域に供給されている。接着剤Ｓは、接着剤層Ｓ１を形成している。
【０２９１】
第６のスイッチング装置１７６は、第１２の端子部１３２と第１８の端子部１３８との間の位置に、設置面７１を受熱面１０１に対向させた状態で、コレクタ端子部６１の側端面６１ａが第１の区画梁１１２側に位置し、かつ、エミッタ端子部６２の側端面６２ａが第２の区画梁１１３側に位置するように配置されている。
【０２９２】
第６のスイッチング装置１７６のコレクタ端子部６１の側端面６１ａは、第１２の端子部１３２の側面１３２ａに面接触している。第６のスイッチング装置１７６のエミッタ端子部６２の側端面６２ａは、第１８の端子部１３８の側面１３８ａに面接触している。第６のスイッチング装置１７６の設置面７１は、接着剤Ｓによって受熱面１０１に固定されている。接着剤Ｓは、設置面７１の全域に供給されている。接着剤Ｓは、接着剤層Ｓ１を形成している。
【０２９３】
第７のスイッチング装置１７７は、第１３の端子部１３３と第１９の端子部１３９との間の位置に、設置面７１を受熱面１０１に対向させた状態で、エミッタ端子部６２の側端面６２ａが第１の区画梁１１２側に位置し、コレクタ端子部６１の側端面６１ａが第２の区画梁１１３側に位置するように配置されている。
【０２９４】
第７のスイッチング装置１７７のエミッタ端子部６２の側端面６２ａは、第１３の端子部１３３の側面１３３ａに面接触している。第７のスイッチング装置１７７のコレクタ端子部６１の側端面６１ａは、第１９の端子部１３９の側面１３９ａに面接触している。
【０２９５】
第７のスイッチング装置１７７の設置面７１は、接着剤Ｓによって受熱面１０１に固定されている。接着剤Ｓは、設置面７１の全域に供給されている。接着剤Ｓは、接着剤層Ｓ１を形成している。
【０２９６】
第８のスイッチング装置１７８は、第１４の端子部１３４と第２０の端子部１４０との間の位置に、設置面７１を受熱面１０１に対向させた状態で、エミッタ端子部６２の側端面６２ａが第１の区画梁１１２側に位置し、かつ、コレクタ端子部６１の側端面６１ａが第２の区画梁１１３側に位置するように配置されている。
【０２９７】
第８のスイッチング装置１７８のエミッタ端子部６２の側端面６２ａは、第１４の端子部１３４の側面１３４ａに面接触している。第８のスイッチング装置１７８のコレクタ端子部６１の側端面６１ａは、第２０の端子部１４０の側面１４０ａに面接触している。
【０２９８】
第８のスイッチング装置１７８の設置面７１は、接着剤Ｓによって受熱面１０１に固定されている。接着剤Ｓは、設置面７１の全域に供給されている。接着剤Ｓは、接着剤層Ｓ１を形成している。
【０２９９】
このように、Ｕ相上アームを構成するスイッチング装置１７５，１７６は、コレクタ端子部６１がコレクタバスバー２００に電気的に接続され、エミッタ端子部６２がモータＵ相バスバー２４０に電気的に接続されている。
【０３００】
Ｕ相下アームを構成するスイッチング装置１７７，１７８は、コレクタ端子部６１がモータＵ相バスバー２４０に電気的に接続され、エミッタ端子部６２がエミッタバスバー２２０に電気的に接続されている。
【０３０１】
Ｖ相上下アーム４０５を構成するスイッチング装置１７９，１８０，１８１，１８２は、第３の収容空間１１７内に収容されている。第９のスイッチング装置１７９は、第２３の端子部１４３と第２９の端子部１４９との間の位置に、設置面７１を受熱面１０１に対向させた状態で、コレクタ端子部６１の側端面６１ａが第３の区画梁１１４側に位置し、エミッタ端子部６２の側端面６２ａが第２の区画梁１１３側に位置するように配置されている。
【０３０２】
第９のスイッチング装置１７９のコレクタ端子部６１の側端面６１ａは、第２９の端子部１４９の側面１４９ａに面接触している。第９のスイッチング装置１７９のエミッタ端子部６２の側端面６２ａは、第２３の端子部１４３の側面１４３ａに面接触している。
【０３０３】
第９のスイッチング装置１７９の設置面７１は、接着剤Ｓによって受熱面１０１に固定されている。接着剤Ｓは、設置面７１の全域に供給されている。接着剤Ｓは、接着剤層Ｓ１を形成している。
【０３０４】
第１０のスイッチング装置１８０は、第２４の端子部１４４と第３０の端子部１５０との間の位置に、設置面７１を受熱面１０１に対向させた状態で、コレクタ端子部６１の側端面６１ａが第３の区画梁１１４側に位置し、かつ、エミッタ端子部６２の側端面６２ａが第２の区画梁１１３側に位置するように配置されている。
【０３０５】
第１０のスイッチング装置１８０のコレクタ端子部６１の側端面６１ａは、第３０の端子部１５０の側面１５０ａに面接触し、エミッタ端子部６２の側端面６２ａは、第２４の端子部１４４の側面１４４ａに面接触している。
【０３０６】
第１０のスイッチング装置１８０の設置面７１は、接着剤Ｓによって受熱面１０１に固定されている。接着剤Ｓは、設置面７１の全域に供給されている。接着剤Ｓは、接着剤層Ｓ１を形成している。
【０３０７】
第１１のスイッチング装置１８１は、第２５の端子部１４５と第３１の端子部１５１との間の位置に、設置面７１を受熱面１０１に対向させた状態で、エミッタ端子部６２の側端面６２ａが第３の区画梁１１４側に位置し、かつ、コレクタ端子部６１の側端面６１ａが第２の区画梁１１３側に位置するように配置されている。
【０３０８】
第１１のスイッチング装置１８１のエミッタ端子部６２の側端面６２ａは、第３１の端子部１５１の側面１５１ａに面接触している。第１１のスイッチング装置１８１のコレクタ端子部６１の側端面６１ａは、第２５の端子部１４５の側面１４５ａに面接触している。
【０３０９】
第１１のスイッチング装置１８１の設置面７１は、接着剤Ｓによって受熱面１０１に固定されている。接着剤Ｓは、設置面７１の全域に供給されている。接着剤Ｓは、接着剤層Ｓ１を形成している。
【０３１０】
第１２のスイッチング装置１８２は、第２６の端子部１４６と第３２の端子部１５２との間の位置に、設置面７１を受熱面１０１に対向させた状態で、エミッタ端子部６２の側端面６２ａが第３の区画梁１１４側に位置し、かつ、コレクタ端子部６１の側端面６１ａが第２の区画梁１１３側に位置するように配置されている。
【０３１１】
第１２のスイッチング装置１８２のエミッタ端子部６２の側端面６２ａは、第３２の端子部１５２の側面１５６ａに面接触している。第１２のスイッチング装置１８２のコレクタ端子部６１の側端面６１ａは、第２６の端子部１４６の側面１５０ａに面接触している。
【０３１２】
第１２のスイッチング装置１８２の設置面７１は、接着剤Ｓによって受熱面１０１に固定されている。接着剤Ｓは、設置面７１の全域に供給されている。接着剤Ｓは、接着剤層Ｓ１を形成している。
【０３１３】
このように、Ｖ相上アームを構成するスイッチング装置１７９，１８０は、コレクタ端子部６１がコレクタバスバー２００に電気的に接続され、エミッタ端子部６２がモータＶ相バスバー２５０に電気的に接続されている。
【０３１４】
Ｖ相下アームを構成するスイッチング装置１８１，１８２は、コレクタ端子部６１がモータＶ相バスバー２５０に電気的に接続され、エミッタ端子部６２がエミッタバスバー２２０に電気的に接続されている。
【０３１５】
Ｗ相上下アーム４０６を構成するスイッチング装置１８３，１８４，１８５，１８６は、第４の収容空間１１８内に収容されている。第１３のスイッチング装置１８３は、第３５の端子部１５５と第４１の端子部１６１との間の位置に、設置面７１を受熱面１０１に対向させた状態で、コレクタ端子部６１の側端面６１ａが第３の区画梁１１４側に位置し、かつ、エミッタ端子部６２の側端面６２ａが第２の側壁部１１１ｂ側に位置するように配置されている。
【０３１６】
第１３のスイッチング装置１８３のコレクタ端子部６１の側端面６１ａは、第３５の端子部１５５の側面１５５ａに面接触している。第１３のスイッチング装置１８３のエミッタ端子部６２の側端面６２ａは、第４１の端子部１６１の側面１６１ａに面接触している。
【０３１７】
第１３のスイッチング装置１８３の設置面７１は、接着剤Ｓによって受熱面１０１に固定されている。接着剤Ｓは、設置面７１の全域に供給されている。接着剤Ｓは、接着剤層Ｓ１を形成している。
【０３１８】
第１４のスイッチング装置１８４は、第３６の端子部１５６と第４２の端子部１６２との間の位置に、設置面７１を受熱面１０１に対向させた状態で、コレクタ端子部６１の側端面６１ａが第３の区画梁１１４側に位置し、かつ、エミッタ端子部６２の側端面６２ａが第２の側壁部１１１ｂ側に位置するように配置されている。
【０３１９】
第１４のスイッチング装置１８４のコレクタ端子部６１の側端面６１ａが第３６の端子部１５６の側面１５６ａに面接触している。第１４のスイッチング装置１８４のエミッタ端子部６２の側端面６２ａは、第４２の端子部１６２の側面１６２ａに面接触している。
【０３２０】
第１４のスイッチング装置１８４の設置面７１は、接着剤Ｓによって受熱面１０１に固定されている。接着剤Ｓは、設置面７１の全域に供給されている。接着剤Ｓは、接着剤層Ｓ１を形成している。
【０３２１】
第１５のスイッチング装置１８５は、第３７の端子部１５７と第４３の端子部１６３との間の位置に、設置面７１を受熱面１０１に対向させた状態で、エミッタ端子部６２の側端面６２ａが第３の区画梁１１４側に位置し、かつ、コレクタ端子部６１の側端面６１ａが第２の側壁部１１１ｂ側に位置するように配置されている。
【０３２２】
第１５のスイッチング装置１８５のエミッタ端子部６２の側端面６２ａは、第３７の端子部１５７の側面１５７ａに面接触している。第１５のスイッチング装置１８５のコレクタ端子部６１の側端面６１ａは、第４３の端子部１６３の側面１６３ａに面接触している。
【０３２３】
第１５のスイッチング装置１８５の設置面７１は、接着剤Ｓによって受熱面１０１に固定されている。接着剤Ｓは、設置面７１の全域に供給されている。接着剤Ｓは、接着剤層Ｓ１を形成している。
【０３２４】
第１６のスイッチング装置１８６は、第３８の端子部１５８と第４４の端子部１６４との間の位置に、設置面７１を受熱面１０１に対向させた状態で、エミッタ端子部６２の側端面６２ａが第３の区画梁１１４側に位置し、かつ、コレクタ端子部６１の側端面６１ａが第２の側壁部１１１ｂ側に位置するように配置されている。
【０３２５】
第１６のスイッチング装置１８６のエミッタ端子部６２の側端面６２ａは、第３８の端子部１５８の側面１５８ａに面接触している。第１６のスイッチング装置１８６のコレクタ端子部６１の側端面６１ａは、第４４の端子部１６４の側面１６４ａに面接触している。
【０３２６】
第１６のスイッチング装置１８６の設置面７１は、接着剤Ｓによって受熱面１０１に固定されている。接着剤Ｓは、設置面７１の全域に供給されている。接着剤Ｓは、接着剤層Ｓ１を形成している。
【０３２７】
このように、Ｗ相上アームを構成するスイッチング装置１８３，１８４は、コレクタ端子部６１がコレクタバスバー２００に電気的に接続され、エミッタ端子部６２がモータＷ相バスバー２６０に電気的に接続される。Ｗ相下アームを構成するスイッチング装置１８５，１８６は、コレクタ端子部６１がモータＷ相バスバー２６０に電気的に接続され、エミッタ端子部６２がエミッタバスバー２２０に電気的に接続される。
【０３２８】
コンバータ４０は、図１に示すように、スイッチング装置１８７，１８８，１８９，１９０，１９１，１９２を有しており、これら６個のスイッチング装置が配線構造１２０によって接続されることによって、構成されている。
【０３２９】
スイッチング装置１８７，１８８は、ジェネレータＵ相上下アーム４０７を構成している。第１７のスイッチング装置（パワーモジュール、上アーム用のパワーモジュール）１８７は、ジェネレータＵ相上アームを構成している。第１８のスイッチング装置（パワーモジュール、下アーム用のパワーモジュール）１８８は、ジェネレータＵ相下アームを構成している。
【０３３０】
スイッチング装置１８９，１９０は、ジェネレータＶ相上下アーム４０８を構成している。第１９のスイッチング装置（パワーモジュール、上アーム用パワーモジュール）１８９は、ジェネレータＶ相上アームを構成している。第２０のスイッチング装置（パワーモジュール、下アーム用のパワーモジュール）１９０は、ジェネレータＶ相下アームを構成している。
【０３３１】
スイッチング装置１９１，１９２は、ジェネレータＷ相上下アーム４０９を構成している。第２１のスイッチング装置（パワーモジュール、上アーム用のパワーモジュール）１９１は、ジェネレータＷ相上アームを構成している。第２２のスイッチング装置（パワーモジュール、下アーム用のパワーモジュール）１９２は、ジェネレータＷ相下アームを構成している。
【０３３２】
上下アーム４０７，４０８，４０９は、コレクタバスバー２００とエミッタバスバー２２０とに並列に接続されている。
【０３３３】
スイッチング装置１８７，１８８，１８９，１９０，１９１，１９２の配置について説明する。スイッチング装置１８７，１８８は、第２の収容空間１１６内を通り第１の直線方向Ｖ１に平行なＵ相スイッチング装置用基準直線Ｘ１（図４に示す）の受熱面１０１上に配置されることとなる。また、スイッチング装置１８７，１８８は、Ｕ相スイッチング装置用基準直線Ｘ１の受熱面１０１上への投影線の基準平面Ｙ１を挟んで他方側に配置されることとなる。
【０３３４】
スイッチング装置１８９，１９０は、第３の収容空間１１７内を通り第１の直線方向Ｖ１に平行なＶ相スイッチング装置用基準直線Ｘ２（図４に示す）の受熱面１０１への投影線上に配置されることとなる。また、スイッチング装置１８９、１９０は、Ｖ相スイッチング装置用基準直線Ｘ２の受熱面１０１への投影線の基準平面Ｙ１を挟んで他方側に配置されることとなる。
【０３３５】
スイッチング装置１９１，１９２は、第４の収容空間１１８内を通り第１の直線方向Ｖ１に平行なＷ相スイッチング装置用基準直線Ｘ３の受熱面１０１への投影線上に配置されることとなる。また、スイッチング装置１９１，１９２は、Ｗ相スイッチング装置用基準直線Ｘ３の受熱面１０１への投影線の基準平面Ｙ１を挟んで他方側に配置されることとなる。
【０３３６】
各スイッチング装置の配置について、具体的に説明する。スイッチング装置１８７，１８８は、図４に示すように、第２の収容空間１１６内に収容されている。第１７のスイッチング装置１８７は、第１０の端子部１３０と第１６の端子部１３６との間の位置に、設置面７１を受熱面１０１に対向させた状態で、コレクタ端子部６１の側端面６１ａが第１の区画梁１１２側に位置し、かつ、エミッタ端子部６２の側端面６２ａが第２の区画梁１１３側に位置するように配置されている。
【０３３７】
第１７のスイッチング装置１８７のコレクタ端子部６１の側端面６１ａは、第１０の端子部１３０の側面１３０ａに面接触している。第１７のスイッチング装置１８７のエミッタ端子部６２の側端面６２ａは、第１６の端子部１３６の側面１３６ａに面接触している。
【０３３８】
第１７のスイッチング装置１８７の設置面７１は、接着剤Ｓによって受熱面１０１に固定されている。接着剤Ｓは、設置面７１の全域に供給されている。接着剤Ｓは、接着剤層Ｓ１を形成している。
【０３３９】
第１８のスイッチング装置１８８は、第９の端子部１２９と第１５の端子部１３５との間の位置に、設置面７１を受熱面１０１に対向させた状態で、エミッタ端子部６２の側端面６２ａが第１の区画梁１１２側に位置し、かつ、コレクタ端子部６１の側端面６１ａが第２の区画梁１１３側に位置するように配置されている。
【０３４０】
第１８のスイッチング装置１８８のエミッタ端子部６２の側端面６２ａは、第９の端子部１２９の側面１２９ａに面接触している。第１８のスイッチング装置１８８のコレクタ端子部６１の側端面６１ａは、第１５の端子部１３５の側面１３５ａに面接触している。
【０３４１】
第１８のスイッチング装置１８８の設置面７１は、接着剤Ｓによって受熱面１０１に固定されている。接着剤Ｓは、設置面７１の全域に供給されている。接着剤Ｓは、接着剤層Ｓ１を形成している。
【０３４２】
このように、Ｕ相上アームを構成する第１７のスイッチング装置１８７は、コレクタ端子部６１がコレクタバスバー２００に電気的に接続され、エミッタ端子部６２がジェネレータＵ相バスバー２７０に電気的に接続されている。Ｕ相下アームを構成する第１８のスイッチング装置１８８は、コレクタ端子部６１がモータＵ相バスバー２４０に電気的に接続され、エミッタ端子部６２がエミッタバスバー２２０に電気的に接続されている。
【０３４３】
スイッチング装置１９１，１９２は、第３の収容空間１１７内に収容されている。第１９のスイッチング装置１８９は、第２２の端子部１４２と第２８の端子部１４８との間の位置に、設置面７１を受熱面１０１に対向させた状態で、エミッタ端子部６２の側端面６２ａが第２の区画梁１１３側に位置し、かつ、コレクタ端子部６１の側端面６１ａが第３の区画梁１１４側に位置するように配置されている。
【０３４４】
第１９のスイッチング装置１８９のエミッタ端子部６２の側端面６２ａは、第２２の端子部１４２の側面１４２ａに面接触している。第１９のスイッチング装置１８９のコレクタ端子部６１の側端面６１ａは、第２８の端子部１４８の側面１４８ａに面接触している。
【０３４５】
第１９のスイッチング装置１８９の設置面７１は、接着剤Ｓによって受熱面１０１に固定されている。接着剤Ｓは、設置面７１の全域に供給されている。接着剤Ｓは、接着剤層Ｓ１を形成している。
【０３４６】
第２０のスイッチング装置１９０は、第２１の端子部１４１と第２７の端子部１４７との間に、設置面７１を受熱面１０１に対向させた状態で、コレクタ端子部６１の側端面６１ａが第２の区画梁１１３側に位置し、かつ、エミッタ端子部６２の側端面６２ａが第３の区画梁１１４側に位置するように配置されている。
【０３４７】
第２０のスイッチング装置１９０のコレクタ端子部６１の側端面６１ａは、第２１の端子部１４１の側面１４１ａに面接触している。第２０のスイッチング装置１９０のエミッタ端子部６２の側端面６２ａは、第２７の端子部１４７の側面１４７ａに面接触している。
【０３４８】
第２０のスイッチング装置１９０の設置面７１は、接着剤Ｓによって受熱面１０１に固定されている。接着剤Ｓは、設置面７１の全域に供給されている。接着剤Ｓは、接着剤層Ｓ１を形成している。
【０３４９】
このように、Ｖ相上アームを構成する第１９のスイッチング装置１８９は、コレクタ端子部６１がコレクタバスバー２００に電気的に接続され、エミッタ端子部６２がジェネレータＶ相バスバー２８０に電気的に接続されている。Ｖ相下アームを構成する第２０のスイッチング装置１９０は、コレクタ端子部６１がジェネレータＶ相バスバー２８０に電気的に接続され、エミッタ端子部６２がエミッタバスバー２２０に電気的に接続されている。
【０３５０】
スイッチング装置１９１，１９２は、第４の収容空間１１８内に収容されている。第２１のスイッチング装置１９１は、第３４の端子部１５４と第４０の端子部１６０との間の位置に、設置面７１を受熱面１０１に対向させた状態で、コレクタ端子部６１の側端面６１ａが第３の区画梁１１４側に位置し、かつ、エミッタ端子部６２の側端面６２ａが第２の側壁部１１１ｂ側に位置するように配置されている。
【０３５１】
第２１のスイッチング装置１９１のコレクタ端子部６１の側端面６１ａは、第３４の端子部１５４の側面１５４ａに面接触している。第２１のスイッチング装置１９１のエミッタ端子部６２の側端面６２ａは、第４０の端子部１６０の側面１６０ａに面接触している。
【０３５２】
第２２のスイッチング装置１９２の設置面７１は、接着剤Ｓによって受熱面１０１に固定されている。接着剤Ｓは、設置面７１の全域に供給されている。接着剤Ｓは、接着剤層Ｓ１を形成している。
【０３５３】
第２２のスイッチング装置１９２は、第３３の端子部１５３と第３９の端子部１５９との間の位置に、設置面７１を受熱面１０１に対向させた状態で、エミッタ端子部６２の側端面６２ａが第３の区画梁１１４側に位置し、かつ、コレクタ端子部６１の側端面６１ａが第２の側壁部１１１ｂ側に位置するように配置されている。
【０３５４】
第２２のスイッチング装置１９２のエミッタ端子部６２の側端面６２ａは、第３３の端子部１５３の側面１５３ａに面接触している。第２２のスイッチング装置１９２のコレクタ端子部６１の側端面６１ａは、第３９の端子部１５９の側面１６３ａに面接触している。
【０３５５】
第２２のスイッチング装置１９２の設置面７１は、接着剤Ｓによって受熱面１０１に固定されている。接着剤Ｓは、設置面７１の全域に供給されている。接着剤Ｓは、接着剤層Ｓ１を形成している。
【０３５６】
このように、Ｗ相上アームを構成する第２１のスイッチング装置１９１は、コレクタ端子部６１がコレクタバスバー２００に電気的に接続され、エミッタ端子部６２がジェネレータＷ相バスバー２９０に電気的に接続される。Ｗ相下アームを構成する第２２のスイッチング装置１９２は、コレクタ端子部６１がジェネレータＷ相バスバー２９０に電気的に接続され、エミッタ端子部６２がエミッタバスバー２２０に電気的に接続される。
【０３５７】
このように、第２の収容空間１１６内に配置されたスイッチング装置１７５，１７６，１７７，１７８，１８７，１８８は、第２の収容空間１１６内を通り第１の直線方向Ｖ１に平行なＵ相スイッチング装置用基準直線Ｘ１（図４に示す）を設定すると、このＵ相スイッチング装置用基準直線Ｘ１の受熱面１０１上に配置されることとなる。また、スイッチング装置１７５，１７６，１７７，１７８，１８７，１８８は、受熱面１０１上に直線状に並ぶことにより、第２のスイッチング装置列（パワーモジュール列）Ｒ２を構成している。
【０３５８】
また、受熱面１０１の貫通孔１０６ａ，１０６ｂを通り、Ｕ相スイッチング装置用基準直線Ｘ１に直交する基準平面Ｙ１（図４に示す）を設定すると、スイッチング装置１８７，１８８は、Ｕ相スイッチング装置用基準直線Ｘ１の受熱面１０１上への投影線の基準平面Ｙ１を挟んで一方側に配置されることとなる。スイッチング装置１７５，１７６，１７７，１７８は、受熱面１０１上であって、Ｕ相スイッチング装置用基準直線Ｘ１の受熱面１０１への投影線の基準平面Ｙ１を挟んで他方側に配置されることとなる。
【０３５９】
同様に、第３の収容空間１１７内に配置されたスイッチング装置１７９，１８０，１８１，１８２，１８９，１９０は、第３の収容空間１１７内を通り第１の直線方向Ｖ１に平行なＶ相スイッチング装置用基準直線Ｘ２（図４に示す）を設定すると、このＶ相スイッチング装置用基準直線Ｘ２上の受熱面１０１への投影線上に配置されることとなる。また、スイッチング装置１７９，１８０，１８１，１８２，１８９，１９０は、直線状に並ぶことにより、第３のスイッチング装置列（パワーモジュール列）Ｒ３を構成している。
【０３６０】
また、スイッチング装置１８９、１９０は、Ｖ相スイッチング装置用基準直線Ｘ２の受熱面１０１への投影線の基準平面Ｙ１を挟んで一方側に配置されることとなる。スイッチング装置１７９，１８０，１８１，１８２は、受熱面１０１上であって、Ｖ相スイッチング装置用基準直線Ｘ２の受熱面１０１への投影線の基準平面Ｙ１を挟んで他方側に配置されることとなる。
【０３６１】
同様に第４の収容空間１１８内に配置されたスイッチング装置１８３，１８４，１８５，１６，１９１，１９２は、第４の収容空間１１８内を通り第１の直線方向Ｖ１に平行なＷ相スイッチング装置用基準直線Ｘ３を設定すると、このＷ相スイッチング装置用基準直線Ｘ３の受熱面１０１への投影線上に配置されることとなる。また、スイッチング装置１８３，１８４，１８５，１６，１９１，１９２は、受熱面１０１上に直線状に並ぶことにより、第４のスイッチング装置列（パワーモジュール列）Ｒ４を構成している。
【０３６２】
また、スイッチング装置１９１，１９２は、Ｗ相スイッチング装置用基準直線Ｘ３の受熱面１０１への投影線の基準平面Ｙ１を挟んで一方側に配置されることとなる。スイッチング装置１８３，１８４，１８５，１８６は、Ｗ相スイッチング装置用基準直線Ｘ３の受熱面１０１への投影線の基準平面Ｙ１を挟んで他方側に配置されることとなる。
【０３６３】
さらに、第１の区画梁１１２内を通り第１の直線方向Ｖ１に平行となる第１のバスバー用基準直線Ｘ４を設定すると、第１のコレクタバスバー２０２の第１の基部２０３は、第１のバスバー用基準直線Ｘ４に沿って配置されることとなる。第１のエミッタバスバー２２１の第３の基部２２２は、第１のバスバー用基準直線Ｘ４に沿って配置されることとなる。
【０３６４】
第３の区画梁１１４内を通り第１の直線方向Ｖ１に平行となる第２のバスバー用基準直線Ｘ５を設定すると、第２のコレクタバスバー２１０の第２の基部２１１は、第２のバスバー用基準直線Ｘ５に沿って配置されることとなる。第２のエミッタバスバー２３０の第４の基部２３１は、第２のバスバー用基準直線Ｘ５に沿って配置されることとなる。
【０３６５】
第１の収容空間１１５内に収容されるスイッチング装置１７１，１７２，１７３，１７４が形成する列と、第２の収容空間１１６内に収容されるスイッチング装置１７５，１７６，１７７，１７８，１８７，１８８が形成する列と、第３の収容空間１１７内に収容されるスイッチング装置１７９，１８０，１８１，１８２，１８９，１９０が形成する列と、第４の収容空間１１８内に収容されるスイッチング装置１８３，１８４，１８５，１８６，１９１，１９２が形成する列とは、互いに平行である。
【０３６６】
また、スイッチング装置１７５〜１９２のうち、各収容空間内において第３の側壁部１１１ｃから第４の側壁部１１１ｄに向かって同番目に配置されるスイッチング装置は、互いに第２の直線方向Ｖ２に並んで配置されている。
【０３６７】
例えば、収容空間１１６，１１７，１１８内に１番目に配置される第１８のスイッチング装置１８８と第２０のスイッチング装置１９０と第２２のスイッチング装置１９２とは、互いに、第２の直線方向Ｖ２に並んでいる。
【０３６８】
同様に、２番目に配置されるスイッチング装置は、互いに第２の直線方向Ｖ２に並んでいる。同様に、３番目、４番目、５番目、６番目に配置されるスイッチング装置も同様に、第２の直線方向Ｖ２に並んでいる。
【０３６９】
なお、第１の収容空間１１５内では、第１のスイッチング装置１７１は、上述の３番目に配置されるスイッチング装置に対して第２の直線方向Ｖ２に並んでいる。第２のスイッチング装置１７２は、上述の４番目に配置されるスイッチング装置に対して第２の直線方向Ｖ２に並んでいる。第３のスイッチング装置１７３は、上述の５番目に配置されるスイッチング装置に対して第２の直線方向Ｖ２に並んでいる。第４のスイッチング装置１７４は、上述の６番目に配置されるスイッチング装置に対して第２の直線方向Ｖ２に並んでいる。
【０３７０】
電力変換装置１０は、図２に示すように、全てのスイッチング装置１７１〜１９２と、装置全体の入出力および動作とを制御する制御回路基板４００を有している。制御回路基板４００には、上述した、インバータ３０とコンバータ４０とを制御する制御装置５２０と、ＤＣ−ＤＣコンバータ２０を制御する制御装置５３０とが搭載されている。
【０３７１】
制御回路基板４００は、フレーム１１０とほぼ等しい大きさの矩形状に形成されている。制御回路基板４００は、スイッチング装置１７１〜１９２上に上下方向Ｖ３に重ねて設置されており、ねじ等の固定構造によってフレーム１１０に固定される。スイッチング装置１７１〜１９２の信号端子６４は、制御回路基板に電気的に接続されている。
【０３７２】
ＤＣ−ＤＣコンバータ２０を構成するスイッチング装置１７１，１７２，１７３，１７の信号端子６４は、制御装置５３０に接続されている。
【０３７３】
インバータ３０を構成するスイッチング装置１７５〜１８６の信号端子６４と、コンバータ４０を構成するスイッチング装置１８７〜１９２の信号端子６４は、制御装置５２０に接続されている。
【０３７４】
電気自動車を走行する場合は、ＤＣ−ＤＣコンバータ２０のスイッチング装置１７１〜１７４が制御されることによって、電池５から供給される直流電力が昇圧される。そして、インバータ３０のスイッチング装置１７７〜１８８が制御されることによって、昇圧された直流電力が三相交流電力に電力変換されて電動モータ６に供給される。電動モータ６に電力が供給されることによって、電気自動車が走行する。
【０３７５】
電気自動車の制動時では、コンバータ４０のスイッチング装置１８７〜１９２が制御されることによって、ジェネレータ７が発電した交流電力が直流電力に電力変換されて、電池５に供給される。
【０３７６】
このように構成された電力変換装置１０では、第１の収容空間１１５内に設置されるスイッチング装置１７１，１７２，１７３，１７４は、第１の直線方向Ｖ１に並んでいる。第２の収容空間１１６内に設置されるスイッチング装置１７５，１７６，１７７，１７８，１８７，１８８は、第１の直線方向Ｖ１に並んでいる。第３の収容空間１１７内に設置されるスイッチング装置１７９，１８０，１８１，１８２，１８９，１９０は、第１の直線方向Ｖ１に並んでいる。第４の収容空間１１８内に設置されるスイッチング装置１８３，１８４，１８５，１８６，１９１，１９２は、第１の直線方向Ｖ１に並んでいる。
【０３７７】
この為、コレクタバスバー２００のコレクタバスバー２０２，２１０の長さを短くすることができる。同様に、エミッタバスバー２２０のエミッタバスバー２２１，２３０を短くすることができる。
【０３７８】
そして、第１のコレクタバスバー２０２の第１のコンデンサ接続端子部１６６を、インバータ３０を構成するスイッチング装置とコンバータ４０を構成するスイッチング装置との間に設置することによって、第１のコンデンサ接続端子部１６６から第２の収容空間１１６に配置されるインバータ３０の上アームを構成するスイッチング装置のうち最も離れた位置に設置される第６のスイッチング装置１７６までの電流経路を短くし、かつ、第１のコンデンサ接続端子部１６６から第２の収容空間１１６に配置されるコンバータ４０の上アームを構成する第１８のスイッチング装置１８８までの電流経路を短くできる。
【０３７９】
そして、冷却器１００に貫通孔１０９ａ，１０６ａを形成し、冷却器１００の下方に設置された平滑コンデンサ３１の第１の正極端子部３２を貫通孔１０９ａ，１０６ａを通すことによって、平滑コンデンサ３１から第１のコンデンサ接続端子部１６６までの電流経路を短くできる。
【０３８０】
同様に、第２のコレクタバスバー２１０の第２のコンデンサ接続端子部１６８を、インバータ３０を構成するスイッチング装置とコンバータ４０を構成するスイッチング装置との間に設置することによって、第２のコンデンサ接続端子部１６８から収容空間１１７，１１８に収容されるインバータ３０の上アームを構成するスイッチング装置のうち最も離れた位置に設置されるスイッチング装置１８０，１８４までの電流経路を短くし、かつ、第２のコンデンサ接続端子部１６８から収容空間１１７，１１８に収容されるコンバータ４０の上アームを構成するスイッチング装置１８９，１９１までの電流経路を短くできる。
【０３８１】
そして、平滑コンデンサ３１の第２の正極端子部３３を貫通孔１０９ｂ，１０６ｂを通すことによって、平滑コンデンサ３１から第２のコンデンサ接続端子部１６８までの電流経路を短くできる。
【０３８２】
同様に、第１のエミッタバスバー２２１の第３のコンデンサ接続端子部１６５を、インバータ３０を構成するスイッチング装置とコンバータ４０を構成するスイッチング装置との間に設置することによって、第３のコンデンサ接続端子部１６５から第２の収容空間１１６内に収容されるインバータ３０の下アームを構成するスイッチング装置のうち最も離れた位置に設置される第８のスイッチング装置１７８までの電流経路を短くし、かつ、第２のコンデンサ接続端子部１６８から第２の収容空間１１６内に収容されるコンバータ４０の下アームを構成する第１８のスイッチング装置１８８までの電流経路を短くできる。
【０３８３】
そして、平滑コンデンサ３１の第１の負極端子部３４を貫通孔１０９ａ，１０６ａを通すことによって、平滑コンデンサ３１から第３のコンデンサ接続端子部１６５までの電流経路を短くできる。
【０３８４】
同様に、第２のエミッタバスバー２３０の第４のコンデンサ接続端子部１６７を、インバータ３０を構成するスイッチング装置とコンバータ４０を構成するスイッチング装置との間に設置することによって、第４のコンデンサ接続端子部１６７から収容空間１１７，１１８内に収容されるインバータ３０の下アームを構成するスイッチング装置のうち最も離れた位置に設置されるスイッチング装置１８２，１８６までの電流経路を短くし、かつ、第４のコンデンサ接続端子部１６７から収容空間１１７，１１８に収容されるコンバータ４０の下アームを構成するスイッチング装置１９０，１９２までの電流経路を短くできる。
【０３８５】
そして、平滑コンデンサ３１の第２の負極端子部３５を貫通孔１０９ｂ，１０６ｂを通すことによって、平滑コンデンサ３１から第４のコンデンサ接続端子部１６７までの電流経路を短くできる。
【０３８６】
このように、コレクタバスバー２０２，２１０を短くし、エミッタバスバー２２１，２３０を短くし、平滑コンデンサ３１から平滑コンデンサ３１に対して最も離れた位置に配置されるスイッチング装置までの電流経路を短くすることができるので、スイッチング装置に印加されるサージ電圧の偏りを小さくすることができる。スイッチング装置に印加されるサージ電圧の偏りを小さくすることができるので、サージ電圧の最大値も小さくすることができる。
【０３８７】
また、コンデンサ接続端子部１６５，１６６，１６７，１６８を、インバータ３０を構成するスイッチング装置とコンバータ４０を構成するスイッチング装置との間に設けることによって、重畳サージ電圧を小さくすることができる。この点について、説明する。
【０３８８】
重畳サージ電圧は、共通電流経路を有するいくつかのスイッチング装置が同時にスイッチングされることによって大きな電流が流れることに起因して発生する。
【０３８９】
しかしながら、本実施形態では、コンデンサ接続端子部１６５，１６６，１６７，１６８が、コレクタバスバー２００及びエミッタバスバー２２０の、インバータ３０を構成するスイッチング装置が接続される端子とコンバータ４０を構成するスイッチング装置が接続される端子との間の部分に設けられることによって、平滑コンデンサ３１からインバータ３０を構成するスイッチング装置までの電流経路と、平滑コンデンサ３１からコンバータ４０を構成するスイッチング装置までの電流経路との共通電流経路は、平滑コンデンサ３１からコンデンサ接続端子部１６５，１６６，１６７，１６８までの電流経路のみとなる。
【０３９０】
このように、共通電流経路を、平滑コンデンサ３１からコンデンサ接続端子部１６５，１６６，１６７，１６８までの電流経路のみとすることにより、共通電流経路を短くすることができる。この為、インバータ３０を構成するスイッチング装置とコンバータ４０を構成するスイッチング装置とが同時にスイッチングされても、共通電流経路が短くなることによって、共通のインダクタンスを小さくすることができるので、重畳サージ電圧を小さくすることができる。
【０３９１】
また、コレクタバスバー２００は第１のコレクタバスバー２０２と第２のコレクタバスバー２１０とを有し、かつ、エミッタバスバー２２０は第１のエミッタバスバー２２１と第２のエミッタバスバー２３０とを有している。
【０３９２】
そして、第１のコレクタバスバー２０２では、インバータ３０を構成するスイッチング装置が接続される端子とコンバータ４０が接続される端子との間に、第１のコンデンサ接続端子部１６６を設けている。第２のコレクタバスバー２１０では、インバータ３０を構成するスイッチング装置が接続される端子とコンバータ４０が接続される端子との間に、第２のコンデンサ接続端子部１６８を設けている。
【０３９３】
第１のエミッタバスバー２２１では、インバータ３０を構成するスイッチング装置が接続される端子とコンバータ４０が接続される端子との間に、第３のコンデンサ接続端子部１６５を設けている。第２のエミッタバスバー２３０では、インバータ３０を構成するスイッチング装置が接続される端子とコンバータ４０が接続される端子との間に、第４のコンデンサ接続端子部１６７を設けている。
【０３９４】
そして、第１のコレクタバスバー２０２と第２のコレクタバスバー２１０とは、平滑コンデンサ３１の正極端子部３２，３３と正極端子部連結部３６とを介して電気的に接続されている。第１のエミッタバスバー２２１と第２のエミッタバスバー２３０とは、平滑コンデンサ３１の負極端子部３４，３５と負極端子部連結部３７とを介して電気的に接続されている。
【０３９５】
この為、収容空間１１６，１１７，１１８内に収容されるスイッチング装置のうちコレクタバスバー２００に接続されるスイッチング装置を第１の直線方向Ｖ１に内側に配置し、エミッタバスバー２２０に接続されるスイッチング装置を上記コレクタバスバー２００に接続されるスイッチング装置に対して第１の直線方向Ｖ１に外側に配置することができるので、隣り合う収容空間内に収容されるスイッチング装置に接続するために設けられる、基部と分岐部と連結部とから構成されるブリッジ部を、連結部を基部の下端と分岐部の下端とに連結する下ブリッジ構造とすることができる。
【０３９６】
具体的に説明する。第２の収容空間１１６内に収容されるスイッチング装置１７５，１７６，１７７，１７８，１８７，１８８のうち、第１のコレクタバスバー２０２に接続されるスイッチング装置１７５，１７６，１８７、すなわち上アーム用のパワーモジュールとしてのスイッチング装置が、が第１の直線方向Ｖ１すなわち第２のスイッチング装置列Ｒ２の列方向に内側に配置され、第１のエミッタバスバー２２１に接続されるスイッチング装置１７７，１７８，１８８、すなわち、下アーム用のパワーモジュールとしてのスイッチング装置が、スイッチング装置１７５，１７６，１８７に対して第１の直線方向Ｖ１すなわち第２のスイッチング装置列Ｒ２の列方向に外側に配置されている。
【０３９７】
第３の収容空間１１７内に収容されるスイッチング装置１７９，１８０，１８１，１８２，１８９，１９０のうち第２のコレクタバスバー２１０に接続されるスイッチング装置１７９，１８０，１８９、すなわち上アーム用のパワーモジュールとしてのスイッチング装置が第１の直線方向Ｖ１すなわち第３のスイッチング装置列Ｒ３の列方向に内側に配置され、第２のエミッタバスバー２３０に接続されるスイッチング装置１８０，１８１，１９０、すなわち下アーム用のパワーモジュールとしてのスイッチング装置が、スイッチング装置１７９，１８０，１８９に対して第１の直線方向Ｖ１すなわち第３のスイッチング装置列Ｒ３の列方向に外側に配置されている。
【０３９８】
第４の収容空間１１８内に収容されるスイッチング装置１８３，１８４，１８５，１８６，１９１，１９２のうち第２のコレクタバスバー２１０に接続されるスイッチング装置１８３，１８４，１９１、すなわち上アーム用のパワーモジュールとしてのスイッチング装置が第１の直線方向Ｖ１すなわち第４のスイッチング装置列Ｒ４の列方向に内側に配置され、第２のエミッタバスバー２３０に接続されるスイッチング装置１８５，１８６，１９２、すなわち下アーム用のパワーモジュールとしてのスイッチング装置が、スイッチング装置１８３，１８４，１９１に対して第１の直線方向Ｖ１すなわち第４のスイッチング装置列Ｒ４の列方向に外側に配置されている。
【０３９９】
第１のコレクタバスバー２０２は、第１の収容空間１１５内のスイッチング装置１７１，１７２と第２の収容空間１１６内のスイッチング装置１７５，１７６とが接続される為に、第１の基部２０３と第１の分岐部２０４と第１の連結部２０５とから構成されるブリッジ部が設けられる。第１のエミッタバスバー２２１は、このブリッジ部を通るが、第１のコレクタバスバー２０２は、第１のエミッタバスバーに設けられるブリッジ部を通ることがない。
【０４００】
例えば、第１のエミッタバスバー２２１が第１のコレクタバスバー２０２に設けられるブリッジ部を通り、かつ、第１のコレクタバスバー２０２も第１のエミッタバスバー２２１に設けられるブリッジ部を通る構造の場合、第１のエミッタバスバー２２１及び第１のコレクタバスバー２０２の構造が複雑になる。そして、第１のコレクタバスバー２０２に設けられるブリッジ部または第１のエミッタバスバー２２１に設けられるブリッジ部のうち一方を、連結部が分岐部の上端と基部の上端とに連結される上ブリッジ構造とする必要が生じ得る。
【０４０１】
しかしながら、本実施形態では、第１のエミッタバスバー２２１が第１のコレクタバスバー２０２の第１の基部２０３と第１の分岐部２０４と第１の連結部２０５とから構成されるブリッジ部を通り、第１のコレクタバスバー２０２は第１のエミッタバスバー２２１のブリッジ部を通ることがない。
【０４０２】
この為、第１の連結部２０５を第１の基部２０３の上端と第１の分岐部２０４の上端にも連結することができ、または、第１の連結部２０５を第１の基部２０３の下端と第１の分岐部２０４の下端とに連結することもできる。
【０４０３】
さらに、第１のエミッタバスバー２２１の第３の基部２２２と第６の分岐部２２４と第６の連結部２２５とから構成されるブリッジ部は、第１のコレクタバスバー２０２が通ることがないので、第６の連結部２２５を第３の基部２２２の上端と第６の分岐部２２４の上端に連結することができ、または、第６の連結部２２５を第３の基部２２２の下端と第６の分岐部２２４の下端とに連結することもできる。
【０４０４】
この為、本実施形態のように、第１の連結部２０５を、第１の基部２０３の下端と第１の分岐部２０４の下端とに連結することができ、第６の連結部２２５を、第３の基部２２２の下端と第６の分岐部２２４の下端とに連結することができる。
【０４０５】
同様の理由により、第２のコレクタバスバー２１０と第２のエミッタバスバー２３０とに設けられるブリッジ部は、全て、連結部が基部の下端と分岐部の下端とに連結される下ブリッジ構造とすることができる。
【０４０６】
このように、コレクタバスバー２０２，２１０とエミッタバスバー２２１，２３０とに設けられる全てのブリッジ部を下ブリッジ構造とすることができる為、全ての連結部２０５，２１４，２１５，２２５，２３５，２３９を受熱面１０１に対して近接配置することができる。
【０４０７】
連結部２０５，２１４，２１５，２２５，２３５，２３９を受熱面１０１に対して近接配置できることによって、コレクタバスバー２００とエミッタバスバー２２０とに相互誘導効果が働き、コレクタバスバー２００のインダクタンスとエミッタバスバー２２０のインダクタンスとを低減することができる。
【０４０８】
コレクタバスバー２００のインダクタンスとエミッタバスバー２２０のインダクタンスとを低減できることによって、サージ電圧及び重畳サージ電圧を小さくできる。
【０４０９】
また、第１のコレクタバスバー２０２は、第１の基部２０３に切れ込みＧを形成することによって、突出部２０８に曲げ加工を施して第１の連結部２０５と第１の分岐部２０４とを形成しても、第１の連結部２０５の下端面と第１の基部２０３の下端面とを面一にすることができる。つまり、第１のコレクタバスバー２０２の下端面を面一にすることができる。同様に、第２のコレクタバスバー２１０も第２の基部２１１の下端面と連結部２１４，２１５の下端面とを面一にすることができる。同様に、第１のエミッタバスバー２２１の第３の基部２２２の下端面と第６の連結部２２５の下端面とを面一にすることができる。同様に、第２のエミッタバスバー２３０の第４の基部２３１の下端面と連結部２３５，２３９の下端面とを面一にすることができる。
【０４１０】
この為、コレクタバスバー２００とエミッタバスバー２２０との下端面全体を受熱面１０１に対して近接配置することができるので、コレクタバスバー２００のインダクタンスとエミッタバスバー２２０のインダクタンスとを、より一層低減することができる。
【０４１１】
また、フレーム１１０の下端面が接着剤Ｓによって受熱面１０１に固定されることによって、フレーム１１０と受熱面１０１との間の微小な隙間を接着で埋めることができる。また、フレーム１１０の下端面及び受熱面１０１の微笑な凸凹が接着剤によって埋めることができる。この為、フレーム１１０から受熱面１０１への熱伝導率が高くすることができるので、配線構造１２０の熱を効率よく冷却することができる。
【０４１２】
配線構造１２０が効率よく冷却されることによって、配線構造１２０を介して平滑コンデンサ３１に伝達される熱量を小さくできるので、平滑コンデンサ３１の温度が高くなることを防止できる。
【０４１３】
また、スイッチング装置１７１〜１９２の設置面７１が接着剤Ｓを介して受熱面１０１に固定されることによって、スイッチング装置１７１〜１９２と受熱面１０１との間の微小な隙間を接着剤Ｓで埋めることができる。また、スイッチング装置１７１〜１９２の設置面７１及び受熱面１０１の微小な凸凹を接着剤Ｓで埋めることができる。この為、スイッチング装置１７１〜１９２から受熱面１０１への熱伝導率を高くすることができるので、スイッチング装置１７１〜１９２を効率よく冷却することができる。
【０４１４】
スイッチング装置１７１〜１９２が効率よく冷却されることによって、配線構造１２０を介してスイッチング装置１７１〜１９２から平滑コンデンサ３１に伝達される熱量を小さくできるので、平滑コンデンサ３１の温度が高くなることを防止できる。
【０４１５】
また、Ｕ，Ｖ，Ｗ相のそれぞれにおいて、上アームを構成するスイッチング装置を一対有しかつ下アームを構成するスイッチング装置を一対有するインバータ３０を、コンデンサ接続端子部１６５〜１６８と端子６ｄ，６ｅ，６ｆとの間に配置することによって、上アーム及び下アームのそれぞれを構成する並列に接続される一対のスイッチング装置に均等に電流を流すことができる。
【０４１６】
この点について、図１３を用いて説明する。図１３は、Ｗ相上下アーム４０６を構成するスイッチング装置１８３，１８４，１８５，１８６と、モータＷ相バスバー２６０と、第２のコレクタバスバー２１０の一部と、第２のエミッタバスバー２３０の一部とを示す概略図である。ここでいう第２のコレクタバスバー２１０の一部とは、第２のコンデンサ接続端子部１６８からスイッチング装置１８３，１８４までの部分である。また、第２のエミッタバスバー２３０の一部とは、第４のコンデンサ接続端子部１６７からスイッチング装置１８５，１８６までの部分である。
【０４１７】
図１３に示すように、スイッチング装置１８３，１８４は並列接続されており、それぞれがＷ相上アームを構成している。スイッチング装置１８５，１８６は、並列接続されており、それぞれがＷ相下アームを構成している。
【０４１８】
Ｗ相上下アームを構成するスイッチング装置１８３，１８４，１８５，１８６は、モータＷ相バスバー２６０を介して電動モータ６のＷ相端子６ｃに電気的に接続される端子６ｆに接続されている。
【０４１９】
第２のコンデンサ接続端子部１６８から端子６ｆまでの電流経路は、第１３のスイッチング装置１８３を通る電流経路Ｌ１と、第１４のスイッチング装置１８４を通る電流経路Ｌ２となるが、電流経路Ｌ１のインダクタンスと電流経路Ｌ２のインダクタンスとは、同じになる。
【０４２０】
この為、第１３のスイッチング装置１８３に流れる電流と第１４のスイッチング装置１８４に流れる電流とを均等にすることができる。
【０４２１】
また、端子６ｆから第４のコンデンサ接続端子部１６７までの電流経路は、第１５のスイッチング装置１８５を通る電流経路Ｌ３と、第１６のスイッチング装置１８６を通る電流経路Ｌ４となる、電流経路Ｌ３のインダクタンスと電流経路Ｌ４のインダクタンスとは、同じになる。
【０４２２】
この為、第１５のスイッチング装置１８５に流れる電流と第１６のスイッチング装置１８６に流れる電流とを均等にすることができる。
【０４２３】
なお、図１３を用いてＷ相上下アーム４０６を構成するスイッチング装置１８３，１８４，１８５，１８６を一例として説明したが、Ｕ相上下アーム４０４を構成するスイッチング装置１７５，１７６，１７７，１７８であっても同様である。具体的には、第５のスイッチング装置１７５に流れる電流と第６のスイッチング装置１７６に流れる電流とを均等にすることができる。第７のスイッチング装置１７７に流れる電流と第８のスイッチング装置１７８に流れる電流とを均等にすることができる。
【０４２４】
同様に、Ｖ相上下アーム４０５を構成するスイッチング装置１７９，１８０，１８１，１８２であっても同様である。具体的には、第９のスイッチング装置１７９に流れる電流と第１０のスイッチング装置１８０に流れる電流とを均等することができる。第１１のスイッチング装置１８１に流れる電流と第１２のスイッチング装置１８２に流れる電流とを均等にすることができる。
【０４２５】
また、コレクタバスバー２００とエミッタバスバー２２０では、分岐部の上端に端子を形成し、かつ、基部の上端に端子を形成している。そして、分岐部の下端と基部の下端とに連結部を連結している。
【０４２６】
この為、連結部が端子に干渉することがないので、連結部を大きく形成することができる。連結部を大きく形成することができることによって連結部を流れる電流を分散することができるので、インダクタンスを小さくすることができる。
【０４２７】
なお、本実施形態では、下アーム用のパワーモジュールが、列方向に外側に分散して配置され、上アーム用のパワーモジュールは、列方向に内側に並んで配置されている。
【０４２８】
具体的には、第２の収容空間１１６内に収容されるスイッチング装置１７５，１７６，１７７，１７８，１８７，１８８のうち、第１のコレクタバスバー２０２に接続されるスイッチング装置１７５，１７６，１８７が第２のスイッチング装置列Ｒ２の列方向に内側に配置され、第１のエミッタバスバー２２１に接続されるスイッチング装置１７７，１７８，１８８が、スイッチング装置１７５，１７６，１８７に対して第２のスイッチング装置列Ｒ２の列方向に外側に配置されている。
【０４２９】
第３の収容空間１１７内に収容されるスイッチング装置１７９，１８０，１８１，１８２，１８９，１９０のうち第２のコレクタバスバー２１０に接続されるスイッチング装置１７９，１８０，１８９が第３のスイッチング装置列Ｒ３の列方向に内側に配置され、第２のエミッタバスバー２３０に接続されるスイッチング装置１８０，１８１，１９０がスイッチング装置１７９，１８０，１８９に対して第３のスイッチング装置列Ｒ３の列方向に外側に配置されている。
【０４３０】
第４の収容空間１１８内に収容されるスイッチング装置１８３，１８４，１８５，１８６，１９１，１９２のうち第２のコレクタバスバー２１０に接続されるスイッチング装置１８３，１８４，１９１が第４のスイッチング装置列Ｒ４の列方向に内側に配置され、第２のエミッタバスバー２３０に接続されるスイッチング装置１８５，１８６，１９２が、スイッチング装置１８３，１８４，１９１に対して第４のスイッチング装置列Ｒ４の列方向に外側に配置されている。
【０４３１】
他の例として、上アーム用のパワーモジュールが、列方向に外側に分散して配置され、下アーム用のパワーモジュールが、列方向に内側に並んで配置されてもよい。そして、本実施形態で用いられたコレクタバスバーをそのままエミッタバスバーとして用い、本実施形態で用いられたエミッタバスバーをそのままコレクタバスバーとして用いてもよい。
【０４３２】
具体的には、第２の収容空間１１６内に収容されるスイッチング装置１７５，１７６，１７７，１７８，１８７，１８８のうち、第１のコレクタバスバー２０２に接続される、すなわち上アーム用のパワーモジュールであるスイッチング装置１７５，１７６，１８７が第２のスイッチング装置列Ｒ２の列方向外側に配置され、第１のエミッタバスバー２２１に接続される、即ち下アーム用のパワーモジュールであるスイッチング装置１７７，１７８，１８８が、スイッチング装置１７５，１７６，１８７に対して第２のスイッチング装置列Ｒ２の列方向に内側に配置される。
【０４３３】
第３の収容空間１１７内に収容されるスイッチング装置１７９，１８０，１８１，１８２，１８９，１９０のうち第２のコレクタバスバー２１０に接続される、すなわち上アーム用のパワーモジュールである８スイッチング装置１７９，１８０，１８９を第３のスイッチング装置列Ｒ３の列方向に外側に配置し、第２のエミッタバスバー２３０に接続される、すなわち下アーム用のパワーモジュールであるスイッチング装置１８０，１８１，１９０をスイッチング装置１７９，１８０，１８９に対して第３のスイッチング装置列Ｒ３の列方向に内側側に配置する。
【０４３４】
第４の収容空間１１８内に収容されるスイッチング装置１８３，１８４，１８５，１８６，１９１，１９２のうち第２のコレクタバスバー２１０に接続される、すなわち上アーム用のパワーモジュールであるスイッチング装置１８３，１８４，１９１を第４のスイッチング装置列Ｒ４の列方向に外側に配置し、第２のエミッタバスバー２３０に接続される、即ち下アーム用のパワーモジュールであるスイッチング装置１８５，１８６，１９２を、スイッチング装置１８３，１８４，１９１に対して第４のスイッチング装置列Ｒ４の列方向に内側に配置する。
【０４３５】
そして、互いに隣り合うスイッチング装置列同士においては、上アーム用のパワーモジュールを構成するスイッチング装置を、コレクタ端子部６１が対向するよう配置し、下アーム用のパワーモジュールを構成するスイッチング装置を、エミッタ端子部６２が対向するよう配置する。
【０４３６】
そして、第１のコレクタバスバー２０２を第１のエミッタバスバー２１１として用い、第２のコレクタバスバー２１０を第２のエミッタバスバー２３０として用い、第１のエミッタバスバー２１１を第１のコレクタバスバー２０２として用い、第２のエミッタバスバー２３０を第２のコレクタバスバー２１０として用いることによって、本実施形態のように、下アーム用のパワーモジュールを列方向に外側に分散して配置し、上アーム用のパワーモジュールを列方向に内側に並んで配置することによる効果である、コレクタバスバー２０２，２１０とエミッタバスバー２２１，２３０とに設けられる全てのブリッジ部を下ブリッジ構造とすることができる為、コレクタバスバー２００のインダクタンスとエミッタバスバー２２０のインダクタンスとを低減できることによって、サージ電圧及び重畳サージ電圧を小さくできるという効果を得ることができる。
【０４３７】
すなわち、複数のパワーモジュール列を備え、パワーモジュール列は、各パワーモジュール端子部としてのコレクタ端子部及びエミッタ端子部をそれぞれ有する複数の上アーム用のパワーモジュールと複数の下アーム用のパワーモジュールとを備え、上アーム用のパワーモジュールは、列方向に外側に分散して配置され、下アーム用のパワーモジュールは、列方向に内側に並んで配置され、隣り合う一対のパワーモジュール列の各々では、下アーム用のパワーモジュールは、エミッタ端子部を相手側の前記パワーモジュール列に向けた姿勢で配置され、上アーム用のパワーモジュールは、コレクタ端子部を相手側のパワーモジュール列に向けた姿勢で配置され、バスバーは、上アーム用のパワーモジュールのコレクタ端子部に接続されるコレクタバスバーと、下アーム用のパワーモジュールのエミッタ端子部に接続されるエミッタバスバーと、を備え、前記エミッタバスバーの基部は、一対のパワーモジュール列間に配置されていずれか一方のパワーモジュール列の下アーム用のパワーモジュールのエミッタ端子部に接続される第１のバスバー端子部を備え、かつ、冷却器の受熱面側の縁から他方のパワーモジュール列側に屈曲して延び、他方のパワーモジュール列の下アーム用のパワーモジュールのコレクタ端子部に接続される前記第１のバスバー端子部が設けられる第１の延出部を備え、コレクタバスバーの基部は、エミッタバスバーの基部と第１の延出部との間に配置されるとともにいずれか一方のパワーモジュール列の上アーム用のパワーモジュールのエミッタ端子部に接続される第１のバスバー端子部を備え、かつ、冷却器の受熱面側の縁から他方のパワーモジュール列側に屈曲して延び、他方のパワーモジュール列の上アーム用のパワーモジュールのエミッタ端子部に接続される第１のバスバー端子部が設けられる第２の延出部を備えてもよい。
【０４３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０４３９】
６ｄ〜６ｆ…端子（上下アーム構成バスバー接続端子）、７ｄ〜７ｆ…端子（上下アーム構成バスバー接続端子）、３０…インバータ、３１…平滑コンデンサ、３１ａ…コンデンサ部、３２…第１の正極端子部（コンデンサ端子部、正極端子部）、３３…第２の正極端子部（コンデンサ端子部、正極端子部）、３４…第１の負極端子部（コンデンサ端子部、負極端子部）、３５…第２の負極端子部（コンデンサ端子部、負極端子部）、４０…コンバータ、６１…コレクタ端子部（パワーモジュール端子部）、６２…エミッタ端子部（パワーモジュール端子部）、１００…冷却器、１０１…受熱面、１０１ａ…ベース面、１０６ａ…第１０の貫通孔（貫通孔）、１０６ｂ…第１１の貫通孔（貫通孔）、１０９ａ…第１の貫通孔（貫通孔）、１０９ｂ…第２の貫通孔（貫通孔）、１２１〜１６４…第１〜４４の端子部（第１のバスバー端子部）、１６５…第３のコンデンサ接続端子部（第２のバスバー端子部）、１６６…第１のコンデンサ接続端子部、１６７…第４のコンデンサ接続端子部、１６８…第２のコンデンサ接続端子部、１７５…第５のスイッチング装置（パワーモジュール、上アーム用のパワーモジュール）、１７６…第６のスイッチング装置（パワーモジュール、上アーム用のパワーモジュール）、１７７…第７のスイッチング装置（パワーモジュール、下アーム用のパワーモジュール）、１７８…第８のスイッチング装置（パワーモジュール、下アーム用のパワーモジュール）、１７９…第９のスイッチング装置（パワーモジュール、上アーム用のパワーモジュール）、１８０…第１０のスイッチング装置（パワーモジュール、上アーム用のパワーモジュール）、１８１…第１１のスイッチング装置（パワーモジュール、下アーム用のパワーモジュール）、１８２…第１２のスイッチング装置（パワーモジュール、下アーム用のパワーモジュール）、１８３…第１３のスイッチング装置（パワーモジュール、上アーム用のパワーモジュール）、１８４…第１４のスイッチング装置（パワーモジュール、上アーム用のパワーモジュール）、１８５…第１５のスイッチング装置（パワーモジュール、下アーム用のパワーモジュール）、１８６…第１６のスイッチング装置（パワーモジュール、下アーム用のパワーモジュール）、１８７…第１７のスイッチング装置（パワーモジュール、上アーム用のパワーモジュール）、１８８…第１８のスイッチング装置（パワーモジュール、下アーム用のパワーモジュール）、１８９…第１９のスイッチング装置（パワーモジュール、上アーム用のパワーモジュール）、１９０…第２０のスイッチング装置（パワーモジュール、下アーム用のパワーモジュール）、１９１…第２１のスイッチング装置（パワーモジュール、上アーム用のパワーモジュール）、１９２…第２２のスイッチング装置（パワーモジュール、下アーム用のパワーモジュール）、２０２…第１のコレクタバスバー（コレクタバスバー）、２０３…第１の基部（基部）、２０４…第１の分岐部（延出部、第１の延出部）、２０５…第１の連結部（延出部、第１の延出部）、２１０…第２のコレクタバスバー（コレクタバスバー）、２１１…第２の基部（基部）、２１４…第３の連結部（延出部、第１の延出部）、２１２…第３の分岐部（延出部、第１の延出部）、２２１…第１のエミッタバスバー（エミッタバスバー）、２２２…第３の基部（基部）、２２４…第６の分岐部（延出部、第２の延出部）、２２５…第６の連結部（延出部、第２の延出部）、２３０…第２のエミッタバスバー（エミッタバスバー）、２３１…第４の基部（基部）、２３２…第８の分岐部（延出部、第２の延出部）、２３３…第８の連結部（延出部、第２の延出部）、２３４…第９の分岐部（延出部、第２の延出部）、２３５…第９の連結部（延出部、第２の延出部）、２４０…モータＵ相バスバー（上下アーム構成バスバー）、２５０…モータＶ相バスバー（上下アーム構成バスバー）、２６０…モータＷ相バスバー（上下アーム構成バスバー）、２７０…ジェネレータＵ相バスバー（上下アーム構成バスバー）、２８０…ジェネレータＶ相バスバー（上下アーム構成バスバー）、２９０…ジェネレータＷ相バスバー（上下アーム構成バスバー）、Ｇ…切れ込み、Ｒ１…第１のスイッチング装置列（パワーモジュール列）、Ｒ２…第２のスイッチング装置列（パワーモジュール列）、Ｒ３…第３のスイッチング装置列（パワーモジュール列）、Ｒ４…第４のスイッチング装置列（パワーモジュール列）。
【図１】
2017046439.tif 000003
【図２】
2017046439.tif 000004
【図３】
2017046439.tif 000005
【図４】
2017046439.tif 000006
【図５】
2017046439.tif 000007
【図６】
2017046439.tif 000008
【図７】
2017046439.tif 000009
【図８】
2017046439.tif 000010
【図９】
2017046439.tif 000011
【図１０】
2017046439.tif 000012
【図１１】
2017046439.tif 000013
【図１２】
2017046439.tif 000014
【図１３】
2017046439.tif 000015